(57)【要約】【課題】  小型化が図れると共に、近隣電流路の外来磁場の影響を大きく受けずに安定した電流検出ができる電流センサを提供する。【解決手段】  重心ＰＰの仮想的な長方形Ｌ上に１２個の磁電変換素子１５ａ〜１５ｌが配設さている。磁電変換素子１５ａ，１５ｆ，１５ｇ，１５ｌは長方形Ｌの４個の頂点に配設されている。長方形Ｌの長辺Ｌ１，Ｌ２上の磁電変換素子１５ｂ，１５ｃ，１５ｄ，１５ｅ，１５ｈ，１５ｉ，１５ｊ，１５ｋは、第２の仮想線ＩＬ２から重心ＰＰを中心として時計回り及び反時計回りの方向にそれぞれ角度４５°以内の範囲に配設されている。【選択図】図３
2015122064.tif 000002
【特許請求の範囲】
【請求項１】
配線基板と、
前記配線基板に設けられ、被測定電流路を流れる電流によって発生する磁気を検出する複数の磁電変換素子と
を備え、
前記配線基板には、仮想の長方形の重心に前記被測定電流路を位置させるための切欠が形成され、
前記複数の磁電変換素子は、前記長方形の長辺と平行で当該長方形の重心を通る第１の仮想線に対して線対称且つ前記重心に点対称となるように前記長方形の４個の頂点及び長辺上に設けられ、
前記長辺上の磁電変換素子は、前記第１の仮想線と直交し前記重心を通る第２の仮想線から、前記重心を中心として時計回り及び反時計回りの方向にそれぞれ角度４５°以内の範囲に配設され、
前記長辺上に配設された前記磁電変換素子の感度軸の向きは、前記長辺と平行であり、
前記頂点に配設された前記磁電変換素子の感度軸の向きは、短辺と平行であり、
前記重心を中心に点対称位置にある前記磁電変換素子同士の感度軸の向きは同一あるいは逆である
ことを特徴とする電流センサ。
【請求項２】
前記長辺上の磁電変換素子は、前記第２の仮想線に対して線対称に配設されている
請求項１に記載の電流センサ。
【請求項３】
前記長辺と前記第２の仮想線とが交わる２個の位置に磁電変換素子が配設されており、
前記長辺上の磁電変換素子のうち、前記長辺と前記第２の仮想線とが交わる位置に配設された磁電変換素子以外の磁電変換素子は、前記第２の仮想線に対して線対称に配設されている
請求項１に記載の電流センサ。
【請求項４】
前記４個の頂点に配設された４個の磁電変換素子と、
前記第２の仮想線上で前記長方形の外側に配置され、前記第１の仮想線に対して線対称な２個の磁電変換素子と、
前記長辺上の前記第２の仮想線と交わらない位置に配設された４個の磁電変換素子と
を有する請求項１に記載の電流センサ。
【請求項５】
前記４個の頂点に配設された４個の磁電変換素子と、
前記長辺上の４個の磁電変換素子と、
前記長辺上の４個の磁電変換素子よりも前記第２の仮想線に近く、前記長方形の外側に配置され、前記第１の仮想線に対して線対称な４個の磁電変換素子と
を有する請求項１に記載の電流センサ。
【請求項６】
前記複数の磁電変換素子は、同一特性である
請求項１〜５のいずれかに記載の電流センサ。
【請求項７】
前記複数の磁電変換素子の感度軸が前記長方形に沿って一方向を向くように、前記複数の磁電変換素子が配設されている
請求項１〜６のいずれかに記載の電流センサ。
【発明の詳細な説明】
【技術分野】
【０００１】
本発明は、被測定電流路に流れる電流を検出する電流センサに関し、特に、磁電変換素子を用いて被測定電流路に流れる電流を検出する電流センサに関する。
【背景技術】
【０００２】
各種電子機器の制御や監視のために、被測定電流路に取り付けて被測定電流路に流れる電流を検出する電流センサが良く知られている。この種の電流センサとしては、ホール素子や磁気抵抗素子等の磁電変換素子を用いた電流センサが知られており、磁電変換素子の感度向上や外部磁場からの影響低減等のため、複数の磁電変換素子を用いられることがある。
このように複数の磁電変換素子を用いた電流センサでは、被測定電流路の周囲に発生する磁界の向きに合わせて、被測定電流路の周囲の仮想円上に複数の磁電変換素子を配設していた。【０００３】
しかしながら、上述したように仮想円上に磁電変換素子を配設すると、電流センサが大型化し、被測定電流路と近隣電流路との距離が短い場合に、電流センサを設置できないという問題がある。【０００４】
このような問題を解決するために、特許文献１の電流センサでは、被測定電流路の位置を中心とし、当該被測定電流路と近隣電流路とを結ぶ方向を短軸とする仮想楕円上に複数の磁電変換素子を配設している。当該電流センサによれば、近隣電流路の外来磁場の影響を大きく受けずに安定した電流検出ができると共に、小型化が図れる。
【先行技術文献】
【特許文献】
【０００５】
【特許文献１】国際公開ＷＯ２０１３／１２８９９３号
【発明の概要】
【発明が解決しようとする課題】
【０００６】
ところで、電流センサには、被測定電流路と近隣電流路との距離がさらに短い場合においても設置可能であり、近隣電流路の外来磁場の影響を大きく受けずに安定した電流検出したいという要請がある。【０００７】
本発明はかかる事情に鑑みてなされたものであり、その目的は、さらなる小型化が図れると共に、近隣電流路の外来磁場の影響を大きく受けずに安定した電流検出ができる電流センサを提供することにある。
【課題を解決するための手段】
【０００８】
上述した従来技術の問題点を解決し、上述した目的を達成するために、本発明の電流センサは、配線基板と、前記配線基板に設けられ、被測定電流路を流れる電流によって発生する磁気を検出する複数の磁電変換素子とを備え、前記配線基板には、仮想の長方形の重心に前記被測定電流路を位置させるための切欠が形成され、前記複数の磁電変換素子は、前記長方形の長辺と平行で当該長方形の重心を通る第１の仮想線に対して線対称且つ前記重心に点対称となるように前記長方形の４個の頂点及び長辺上に設けられ、前記長辺上の磁電変換素子は、前記第１の仮想線と直交し前記重心を通る第２の仮想線から、前記重心を中心として時計回り及び反時計回りの方向にそれぞれ角度４５°以内の範囲に配設され、前記長辺上に配設された前記磁電変換素子の感度軸の向きは、前記長辺と平行であり、前記頂点に配設された前記磁電変換素子の感度軸の向きは、短辺と平行であり、前記重心を中心に点対称位置にある前記磁電変換素子同士の感度軸の向きは同一あるいは逆である。【０００９】
上記構成によれば、上述したように磁電変換素子を配設することで、第２の仮想線が延在する方向において、磁電変換素子を配設する領域を小さくでき、被測定電流路と隣接する電流路（近隣電流路）との距離を狭くできる。これにより、配線基板１６の小型化、つまり電流センサ１０１の小型化が可能である。
また、近隣電流路からの外来磁場の影響を相対的に低減することができる。従って、外来磁場による磁電変換素子への影響が低減されるので、磁電変換素子からの検出値を安定して得ることができる。
また、上述したように、仮想の長方形の長辺と短辺に平行に磁電変換素子の感度軸の方向を規定したことで、磁電変換素子が円周上に等間隔で配設されている場合と比較して、各磁電変換素子を配線基板１６に実装する際に、容易に実装することができると共に、配線基板と磁電変換素子との位置関係を容易に設計することができる。従って、被測定電流路の取付け角度や取付け位置等の精度を高めることができるので、測定精度を向上させることができる。
また、上記構成によれば、各磁電変換素子に加わる磁界の向きと、感磁方向は４５度未満となっており、良好な感度を保つことができる。
また、上記構成によれば、磁電変換素子は、仮想の長方形の長辺及び短辺方向で位置調整をすればよく、測定精度を高める設計が容易になる。【００１０】
好適には、本発明の電流センサの前記長辺上の磁電変換素子は、前記第２の仮想線に対して線対称に配設されている。
上記構成によれば、位置調整が簡単であり、測定精度を高める設計が容易になる。
好適には、本発明の電流センサでは、前記長辺と前記第２の仮想線とが交わる２個の位置に磁電変換素子が配設されており、前記長辺上の磁電変換素子のうち、前記長辺上と前記第２の仮想線とが交わる位置に配設された磁電変換素子以外の磁電変換素子は、前記第２の仮想線に対して線対称に配設されている。
上記構成によれば、位置調整が簡単であり、測定精度を高める設計が容易になる。また、上記構成によれば、被測定電流路からの磁界が強く、且つ磁界の第１の仮想線に沿った方向成分が大きい領域に多くの磁電変換素子を配置でき、隣り合う位置に配設された近隣電流路からの外来磁場の影響を相対的に低減することができる。従って、外来磁場による磁電変換素子への影響が低減されるので、磁電変換素子からの検出値を安定して得ることができる。【００１１】
好適には、本発明の電流センサは、前記４個の頂点に配設された４個の磁電変換素子と、前記第２の仮想線上で前記長方形の外側に配置され、前記第１の仮想線に対して線対称な２個の磁電変換素子と、前記長辺の前記第２の仮想線と交わらない位置に配設された４個の磁電変換素子とを有する。
上記構成によれば、磁電変換素子を仮想の長方形の外側に配設することで、最も感度の高い磁電変換素子の感度を小さくして、広いダイナミックレンジで高精度に検出ができる。また、磁電変換素子の配置エリアの幅の広がりを小さくすることができる。【００１２】
好適には、本発明の電流センサは、前記４個の頂点に配設された４個の磁電変換素子と、前記長辺上の４個の磁電変換素子と、前記長辺上の４個の磁電変換素子よりも前記第２の仮想線に近く、前記長方形の外側に配置され、前記第１の仮想線に対して線対称な４個の磁電変換素子とを有する。
上記構成によれば、磁電変換素子を仮想の長方形の外側に配設することで、最も感度の高い磁電変換素子の感度を小さくして、広いダイナミックレンジで高精度に検出ができる。また、磁電変換素子の配置エリアの幅の広がりを小さくすることができる。【００１３】
好適には、本発明の電流センサの前記複数の磁電変換素子は、同一特性である。
好適には、本発明の電流センサでは、前記複数の磁電変換素子の感度軸が前記長方形に沿って一方向を向くように、前記複数の磁電変換素子が配設されている。
上記構成によれば、測定精度を高める設計が容易になる。
【発明の効果】
【００１４】
本発明によれば、さらなる小型化が図れると共に、近隣電流路の外来磁場の影響を大きく受けずに安定した電流検出ができる電流センサを提供することができる。
【図面の簡単な説明】
【００１５】
【図１】図１は、本発明の第１実施形態に係る電流センサを示す分解斜視図である。
【図２】図２は、本発明の第１実施形態に係る電流センサを示す斜視図である。
【図３】図３は、本発明の第１実施形態に係る電流センサを説明するための図であって、図１に示すＺ１側から見た配線基板の上面図である。
【図４】図４は、本発明の第２実施形態に係る電流センサを示す分解斜視図である。
【図５】図５は、本発明の第２実施形態に係る電流センサを説明するための図であって、図１に示すＺ１側から見た配線基板の上面図である。
【図６】図６は、本発明の第３実施形態に係る電流センサの配線基板の上面図である。
【図７】図７は、本発明の第４実施形態に係る電流センサの配線基板の上面図である。
【図８】図８は、本発明の第２実施形態の電流センサと、１０個の磁電変換素子を仮想の楕円上に配置した比較例（楕円）とについて、被測定電流路ＣＢと近隣電流路ＣＮとの距離と、検出値への近隣電流路の影響度とを比較するための図である。
【発明を実施するための形態】
【００１６】
＜第１実施形態＞
図１は、本発明の第１実施形態に係る電流センサ１０１を示す分解斜視図である。図２は、本発明の第１実施形態に係る電流センサ１０１を示す斜視図である。図３は、本発明の第１実施形態に係る電流センサ１０１を説明するための図であって、図１に示すＺ１側から見た配線基板１６の上面図である。
【００１７】
図１及び図２に示すように、本発明の第１実施形態に係る電流センサ１０１は、被測定電流路ＣＢに電流が流れたときに発生する磁気を検出する複数の磁電変換素子１５と、複数の磁電変換素子１５が配置された配線基板１６とを備えて構成されている。また、電流センサ１０１は、配線基板１６を収納する収納部１１ｓを有する筐体１１と、磁電変換素子１５からの電気信号を取り出すための取出し端子１３ｔを有したコネクタ１３と、被測定電流路ＣＢを固定し保持するための保持部材１４と、を備えている。
【００１８】
筐体１１は、例えば、ＡＢＳ（アクリロニトリルブタジエンスチレン）、ＰＥＴ（ポリエチレンテレフタレート）等の合成樹脂材料で形成されている。この筐体１１は、上方が開口した箱状のケース３１と、ケース３１の開口部を塞ぐような板状のカバー４１と、から構成され、ケース３１内部に、配線基板１６を収納する収納部１１ｓが形成されている。なお、筐体１１の材質に合成樹脂材料を用いたが、これに限定されるものではなく、例えば、強磁性体でなければ、金属材料を用いた構成にしても良い。
【００１９】
ケース３１には、その一辺側からケース３１の中心側に向かって切り欠かれた凹部（凹溝）３２が形成され、この凹部３２内に被測定電流路ＣＢが導入されて保持されるように構成されている。凹部３２の奥壁３２ａは、被測定電流路ＣＢの外周面と相補形状に形成されている。本実施の形態では、凹部３２の奥壁３２ａは、円筒形状の被測定電流路ＣＢの外周面に対応するように円弧状に湾曲して形成されている。また、奥壁３２ａに連なるケース３１の対向する内側壁３２ｂには、クリップバネ１４Ｋの自由端部側を係止する切欠３２ｃが、それぞれ対峙する位置に形成されている。切欠３２ｃは、内側壁３２ｂの上端部側から下方に向かって切り欠かれ、入り口側の端面が、外方に向かって傾斜するように形成されている。被測定電流路ＣＢは、その外周面の奥側を凹部３２の奥壁３２ａに当接させた状態で、手前側を切欠３２ｃから凹部３２内に突出するクリップバネ１４Ｋによって挟持されることで、筐体１１に対して保持される。この凹部３２の奥壁３２ａとクリップバネ１４Ｋとで挟持される位置が、筐体１１に対する被測定電流路ＣＢの配設位置ＰＰとなる。本実施形態では、配設位置ＰＰが、後述する仮想の長方形Ｌの重心ＰＰとなる。
【００２０】
カバー４１は、一方の辺部に、ケース３１の凹部３２と対応するように同一形状の開口部４２が形成され、この開口部４２の形成された辺部と反対側の辺部に、コネクタ１３の上端部を筐体１１外部に露出させるための開口部４３が形成されている。
【００２１】
保持部材１４は、被測定電流路ＣＢを固定し保持するための部材であり、被測定電流路ＣＢの外縁を挟み込んで保持するクリップバネ１４Ｋと、被測定電流路ＣＢが配設位置ＰＰに配設された後にクリップバネ１４Ｋを押さえる押し部材１４Ｈとを備えている。
【００２２】
クリップバネ１４Ｋは、短冊状の板ばねを平面視略円形状に湾曲させて、自由端部側に間隙１４Ｌが形成されるように、２個の自由端部を離間する方向（外方）に折り曲げて形成されている。このクリップバネ１４Ｋは、ケース３１の収納部１１ｓ内に収容され、湾曲部分を凹部３２の奥壁３２ａに沿わせた状態で、自由端部を切欠３２ｃの傾斜面に当接させて自由端部側の折り曲げ部分を切欠３２ｃから凹部３２内に突出させるように配設される。ここで、クリップバネ１４Ｋの自由端部側の折り曲げ部分間の間隙１４Ｌは、被測定電流路ＣＢを配設位置ＰＰへの導入を許容すると共に配設位置ＰＰから容易に脱落しないように、凹部３２内に導入される被測定電流路ＣＢの最大径（最大幅）寸法よりも狭くなるように形成されている。
【００２３】
押し部材１４Ｈは、略直方体形状で形成されており、ケース３１に形成された凹部３２に強嵌合されるサイズで作製されている。この押し部材１４Ｈは、クリップバネ１４Ｋを押さえた状態で、ケース３１の凹部３２内に保持される。このように構成された電流センサ１０１において、被測定電流路ＣＢがケース３１の凹部３２に導入されて凹部３２内に露出するクリップバネ１４Ｋの折り曲げ部分に押し当てられると、クリップバネ１４Ｋが撓みを許容して、自由端部が切欠３２ｃの傾斜面に案内されながら折り曲げ部分が収納部１１ｓ内に逃がされ、折り曲げ部分間の間隙１４Ｌが広がっていく。被測定電流路ＣＢをさらに押し込んで奥壁３２ａに当接させると、自由端部が切欠３２ｃの傾斜面に案内されながら折り曲げ部分が凹部３２内に露出する初期位置に復帰する。このとき、被測定電流路ＣＢの外周面は、奥壁３２ａ及びクリップバネ１４Ｋの折り曲げ部分によって挟持される。そして、押し部材１４Ｈが凹部３２内に押し込まれると、クリップバネ１４Ｋ（の折り曲げ部分）が抑え込まれる。この押し部材１４Ｈ及びクリップバネ１４Ｋからなる保持部材１４が凹部３２の奥壁３２ａと協働することによって、被測定電流路ＣＢが配設位置ＰＰに精度良く配設させることができる。なお、本実施形態では、被測定電流路ＣＢの断面形状を円形にしたが、矩形の断面形状の被測定電流路であっても良い。この場合には、保持部材１４のクリップバネ１４Ｋは、矩形の断面形状の被測定電流路に対応した形状にすることが望ましい。
【００２４】
配線基板１６は、例えば、一般に広く知られている両面のプリント配線板（ＰＣＢ）を用いられ、ガラス入りのエポキシ樹脂からなるベース基板上に設けられた銅（Ｃｕ）等の金属箔をパターニングして、配線パターンが形成されている。配線基板１６は、ケース３１の収納部１１ｓに収納可能な大きさで形成されており、その一辺部に、被測定電流路ＣＢが挿通されて且つ配設される切欠１７が形成されている。すなわち、配線基板１６は、収納部１１ｓの底面部と相似形状に形成されており、ケース３１の凹部３２と相補形状の切欠部１７が形成されている。図１及び図３に示すように、配線基板１６の切欠１７の近傍には、複数（１２個）の磁電変換素子１５が配置され、切欠１７が形成される辺部と対向する辺部近傍にはコネクタ１３が配設されている。なお、磁電変換素子１５の詳細な配置位置については後述する。また、本実施形態では、配線基板１６にガラス入りのエポキシ樹脂からなるプリント配線板（ＰＣＢ）を用いたが、これに限定されるものではなく、絶縁性のリジット基板であれば良く、例えばセラミック配線板を用いても良い。また、本実施形態では、配線基板１６に両面のプリント配線板（ＰＣＢ）を用いたが、回路設計の結果に応じて片面のプリント配線板（ＰＣＢ）を用いても良い。
【００２５】
コネクタ１３は、相手側コネクタ（図示省略）と電気的に接続する複数の端子を備えており、これら複数の端子の中に、磁電変換素子１５からの電気信号を取り出すため取出し端子１３ｔを有している。また、コネクタ１３は、相手側コネクタ（図示省略）と嵌合するための絶縁基体１３Ｋを備えている。絶縁基体１３Ｋは、上方が開口した箱状に形成され、その内部に、取出し端子１３ｔを含む複数の端子が、各端子間を絶縁した状態で保持され収納されている。なお、本実施形態では、磁電変換素子１５からの電気信号を取り出すためにコネクタ１３を用いたが、コネクタ１３に限らず、例えば、フレキシブルプリント配線板（ＦＰＣ：Flexible  Printed  Circuits）等を用いても良い。
【００２６】
磁電変換素子１５は、被測定電流路ＣＢに電流が流れたときに発生する磁気を検出する電流センサ素子であって、例えば、巨大磁気抵抗効果を用いた磁気検出素子（ＧＭＲ（Giant  Magneto  Resistive）素子という）を用いることが可能である。この磁電変換素子１５は、説明を容易にするため詳細な図示は省略したが、ＧＭＲ素子をシリコン基板上に作製した後、切り出されたチップを熱硬化性の合成樹脂でパッケージングし、信号の取り出しのためのリード端子がＧＭＲ素子と電気的に接続されて構成されている。そして、このリード端子により、配線基板１６にはんだ付けがされている。
【００２７】
図３に示すように、電流センサ１０１では、重心ＰＰの仮想的な長方形Ｌ上に１２個の磁電変換素子１５ａ〜１５ｌが配設さている。
なお、本実施形態において、磁電変換素子１５ａ〜１５ｌが長方形Ｌ等の上にあるとは、磁電変換素子１５の中心点が略長方形Ｌ等の長辺、短辺あるいは頂点の上にあることを意味する。
磁電変換素子１５ａ〜１５ｌは、例えば、同一の磁電変換特性を有している。これにより、電流センサ１０１の測定精度を高めるための設計が容易になる。
【００２８】
長方形Ｌの重心ＰＰは、前述したように、被測定電流路ＣＢの横断面（Ｘ，Ｙ断面）の中心となる。切欠１７は、被測定電流路ＣＢに対して電流センサ１０１を位置決めした際に、仮想の長方形Ｌの重心ＰＰに被測定電流路ＣＢの中心を位置させることが可能な形状を有している。
図３に示すように、Ｙ１方向から見て切欠１７の左側（Ｘ２方向側）の配線基板１６の表面には、磁電変換素子１５ａ〜１５ｆが配設されている。また、Ｙ１方向から見て切欠１７の右側（Ｘ１方向側）の配線基板１６の表面には、磁電変換素子１５ｇ〜１５ｌが配設されている。
ここで、磁電変換素子１５ａ，１５ｆ，１５ｇ，１５ｌは長方形Ｌの４個の頂点に配設されている。
【００２９】
また、磁電変換素子１５ｂ，１５ｃ，１５ｄ，１５ｅは長方形Ｌの仮想の長辺Ｌ１上に配設され、磁電変換素子１５ｇ，１５ｈ，１５ｉ，１５ｊ，１５ｋは長方形Ｌの仮想的な長辺Ｌ２上に配設されている。
磁電変換素子１５ｇ，１５ｈ，１５ｉ，１５ｊ，１５ｋは、長辺Ｌ１，Ｌ２と平行で重心ＰＰを通る第１の仮想線ＩＬ１に対して、磁電変換素子１５ｂ，１５ｃ，１５ｄ，１５ｅとそれぞれ線対称に配設されている。
【００３０】
磁電変換素子１５ｇ，１５ｈ，１５ｉ，１５ｊ，１５ｋは、長方形Ｌの重心ＰＰに対して、それぞれ磁電変換素子１５ｆ，１５ｅ，１５ｄ，１５ｃ，１５ｂ，１５ａとそれぞれ点対称に配設されている。
その結果、磁電変換素子１５ａ，１５ｂ，１５ｃ，１５ｇ，１５ｈ，１５ｉは、第１の仮想線ＩＬ１と直交し重心ＰＰを通る第２の仮想線ＩＬ２に対して、磁電変換素子１５ｆ，１５ｅ，１５ｄ，１５ｌ，１５ｋ，１５ｊとそれぞれ線対称に配設されている。
【００３１】
このように磁電変換素子１５ａ〜１５ｌを配設することで、磁電変換素子が円周上に等間隔で配設されている場合（比較例）と比較して、被測定電流路ＣＢが挿通されて且つ配設される磁電変換素子１５ａ〜１５ｌの配置でありながら、磁電変換素子１５ａ〜１５ｌの配設スペースを小さくできる。すなわち、比較例に係る磁電変換素子の場合には、被測定電流路ＣＢの配設位置を中心として周方向に等間隔で磁電変換素子が均等配置されている。そのため、磁電変換素子間から被測定電流路ＣＢを導入して配設位置に配設する場合、磁電変換素子同士の素子間隔として、少なくとも被測定電流路ＣＢが通過可能な間隔を確保する必要があるので、全ての磁電変換素子の配設領域が大きくなり、これに伴い配線基板が大型化してしまうことになる。
【００３２】
一方、本実施形態に係る磁電変換素子１５の配置の場合には、６個の磁電変換素子１５ａ〜１５ｆが長方形Ｌの長辺Ｌ１上に配設され、６個の磁電変換素子１５ｇ〜１５ｌが長方形Ｌの長辺Ｌ２上に配設されている。
そのため、磁電変換素子１５ａ〜１５ｆと磁電変換素子１５ｇ〜１５ｌとの配置に必要な短辺Ｌ３方向（Ｘ方向）の距離を短くできる。すなわち、被測定電流路ＣＢと隣接する電流路ＣＮとの距離を狭くできる。
その結果、比較例３に係る磁電変換素子Ｃ３５の配設領域と比べて、特に切欠１７の形成方向と直交する方向（第２の仮想線ＩＬ２の延在方向）における磁電変換素子１５の配設領域を小さくすることができ、配線基板１６の小型化、つまり電流センサ１０１の小型化が可能である。特に配電盤のように複数の電流路を、できるだけ狭い間隔で設けたい用途では、切欠１７の左右の腕部１８の幅を狭くできることが重要となる。
【００３３】
また、長方形Ｌの長辺Ｌ１上の磁電変換素子１５ｂ，１５ｃ，１５ｄ，１５ｅは、第２の仮想線ＩＬ２のＸ２方向から重心ＰＰを中心として時計回り及び反時計回りの方向にそれぞれ角度４５°以内の範囲に配設されている。
【００３４】
また、長辺Ｌ２上の磁電変換素子１５ｈ，１５ｉ，１５ｊ，１５ｋは、第２の仮想線ＩＬ２のＸ１方向から重心ＰＰを中心として時計回り及び反時計回りの方向にそれぞれ角度４５°以内の範囲に配設されている。
【００３５】
このように、磁電変換素子１５ａ〜１５ｆ及び磁電変換素子１５ｇ〜１５ｌの素子間隔を長方形Ｌの長辺方向において均等にするのではなく、第２の仮想線ＩＬ２のＸ１，Ｘ２方向から重心ＰＰを中心として時計回り及び反時計回りの方向にそれぞれ角度４５°以内の範囲に集中させることで、被測定電流路ＣＢの磁界が強く、且つ磁界のＹ方向成分が大きい領域に多くの磁電変換素子を配置でき、隣り合う位置に配設された近隣電流路ＣＮからの外来磁場の影響を相対的に低減することができる。従って、外来磁場による磁電変換素子１５への影響が低減されるので、磁電変換素子１５からの検出値を安定して得ることができる。
【００３６】
磁電変換素子１５ａ〜１５ｌの感度軸（磁気を感知する方向）の向きＳＪは、長方形Ｌの長辺Ｌ１，Ｌ２あるいは短辺Ｌ３と平行であり、且つ長方形Ｌに沿って一方向である。これにより、電流センサ１０１の測定精度を高める設計が容易になる。
具体的には、長方形Ｌの頂点に配設された磁電変換素子１５ａ，１５ｇの感度軸の向きＳＪはＸ１方向であり、磁電変換素子１５ｆ，１５ｌの感度軸の向きＳＪはＸ２方向である。
また、磁電変換素子１５ｂ，１５ｃ，１５ｄ，１５ｅの感度軸の向きＳＪはＹ１方向であり、磁電変換素子１５ｈ，１５ｉ，１５ｊ，１５ｋの感度軸の向きＳＪはＹ２方向である。
これにより、磁電変換素子１５ａ〜１５ｌは、重心ＰＰを中心に点対称位置にある磁電変換素子１５ｌ〜１５ａと感度軸の向きＳＪが逆になる。
後段の演算回路では、磁電変換素子１５ａ〜１５ｌの出力を加算することで、被測定電流路ＣＢの磁界に応じた成分を累積して有効化し、隣接する電流路ＣＮの磁界に応じた成分をキャンセルする。
【００３７】
なお、図３の例において、磁電変換素子１５ｇの感度軸の向きＳＪを磁電変換素子１５ａとは逆のＸ２方向とし、磁電変換素子１５lの感度軸の向きＳＪを磁電変換素子１５fとは逆のＸ１方向とし、磁電変換素子１５ｈ，１５ｉ，１５ｊ，１５ｋの感度軸の向きＳＪを磁電変換素子１５ｂ，１５ｃ，１５ｄ，１５ｅと同じＹ１方向としてもよい。
この場合は、後段の演算回路では、磁電変換素子１５ａ〜１５ｆの出力から、磁電変換素子１５ｇ〜１５ｌの出力を減算することで、被測定電流路ＣＢの磁界に応じた成分を累積して有効化し、隣接する電流路ＣＮの磁界に応じた成分をキャンセルする。
【００３８】
以上説明したように、電流センサ１０１によれば、図３に示すように磁電変換素子１５ａ〜１５ｌを配置したことで、磁電変換素子１５ａ〜１５ｌの配置エリアのＸ方向の幅を最小限にでき、被測定電流路ＣＢと隣接する電流路ＣＮとの距離を狭くできる。これにより、配線基板１６の小型化、つまり電流センサ１０１の小型化が可能である。特に、切欠１７の左右の腕部１８の幅が狭くできる。
【００３９】
また、電流センサ１０１によれば、図３に示すように磁電変換素子１５ａ〜１５ｌを配置したことで、隣り合う位置に配設された近隣電流路ＣＮからの外来磁場の影響を相対的に低減することができる。従って、外来磁場による磁電変換素子１５ａ〜１５ｌへの影響が低減されるので、磁電変換素子１５ａ〜１５ｌからの検出値を安定して得ることができる。このように隣接電線の影響を除けることを、シミュレーションで確認した。
【００４０】
また、電流センサ１０１によれば、図３に示すように磁電変換素子１５ａ〜１５ｌの感度軸の方向ＳＪを規定したことで、磁電変換素子Ｃ３５が円周上に等間隔で配設されている場合（比較例）と比較して、各磁電変換素子１５ａ〜１５ｌを配線基板１６に実装する際に、容易に実装することができると共に、配線基板１６と磁電変換素子１５ａ〜１５ｌとの位置関係を容易に設計することができる。従って、被測定電流路ＣＢの取付け角度や取付け位置等の精度を高めることができるので、測定精度を向上させることができる。
【００４１】
電流センサ１０１では、各磁電変換素子１５ａ〜１５ｌに加わる磁界の向きと、感磁方向は４５度未満となっており、良好な感度を保つことができる。
電流センサ１０１では、被測定電流路ＣＢに流れる電流と、隣接する電流路ＣＮに流れる電流の向きが同じ場合、長方形Ｌの頂点の磁電変換素子１５ａ，１５ｆ，１５ｇ，１５ｌと、隣接する電流路ＣＮから遠い側の長辺Ｌ１，Ｌ２上の磁電変換素子１５ｂ，１５ｃ，１５ｄ，１５ｅ，１５ｈ，１５ｉ，１５ｊ，１５ｋは＋側の誤差となる。一方隣接する電流路ＣＮから近い側の長辺Ｌ１，Ｌ２の磁電変換素子は−側の誤差となる。＋側の誤差と−側の誤差があるため、誤差を打ち消すようにできる。
【００４２】
電流センサ１０１では、１２個の磁電変換素子１５ａ〜１５ｌを用いることから、切欠１７の両側に２列の直線上に磁電変換素子を配置でき、長方形Ｌの長辺Ｌ１,Ｌ２及び短辺Ｌ３方向で位置調整をすればよく、測定精度を高める設計が容易になる。
【００４３】
＜第２実施形態＞
図４は、本発明の第２実施形態に係る電流センサ２０１を示す分解斜視図である。図５は、本発明の第２実施形態に係る電流センサ２０１を説明するための図であって、図４に示すＺ１側から見た配線基板１６の上面図である。
【００４４】
図４及び図５に示すように、配線基板１６の切欠１７の近傍には、複数（１０個）の磁電変換素子２５ａ〜２５ｊが配置されている。
【００４５】
図５に示すように、電流センサ２０１では、重心ＰＰの仮想的な長方形Ｌｘ上に１０個の磁電変換素子２５ａ〜２５ｊが配設さている。重心ＰＰは、被測定電流路ＣＢの横断面（Ｘ，Ｙ断面）の中心となる。切欠１７は、被測定電流路ＣＢに対して電流センサ２０１を位置決めした際に、仮想の長方形Ｌｘの重心に被測定電流路ＣＢの中心を位置させることが可能な形状を有している。
図５に示すように、Ｙ１方向から見て切欠１７の左側（Ｘ２方向側）の配線基板１６の表面には、磁電変換素子２５ａ〜２５ｅが配設されている。また、Ｙ１方向から見て切欠１７の右側（Ｘ１方向側）の配線基板１６の表面には、磁電変換素子２５ｆ〜２５ｊが配設されている。
ここで、磁電変換素子２５ａ，２５ｅ，２５ｆ，２５ｊは長方形Ｌの４個の頂点に配設されている。
【００４６】
また、磁電変換素子２５ｂ，２５ｃ，２５ｄは長方形Ｌｘの長辺Ｌ１ｘ上に配設され、磁電変換素子２５ｇ，２５ｈ，２５ｉは長方形Ｌｘの仮想的な長辺Ｌ２ｘ上に配設されている。
磁電変換素子２５ｃ，２５ｈは、第１の仮想線ＩＬ１ｘと直交し重心ＰＰを通る第２の仮想線ＩＬ２ｘ上に配設されている。
磁電変換素子２５ｆ，２５ｇ，２５ｈ，２５ｉ，２５ｊは、長辺Ｌ１ｘ，Ｌ２ｘと平行で重心ＰＰを通る第１の仮想線ＩＬ１ｘに対して、磁電変換素子２５ａ，２５ｂ，２５ｃ，２５ｄ，２５ｅとそれぞれ線対称に配設されている。
【００４７】
磁電変換素子２５ｆ，２５ｇ，２５ｈ，２ｉ，２５ｊは、長方形Ｌｘの重心ＰＰに対して、それぞれ磁電変換素子２５ｅ，２５ｄ，２５ｃ，２５ｂ，２５ａとそれぞれ点対称に配設されている。
その結果、磁電変換素子２５ａ，２５ｂ，２５ｆ，２５ｇは、第２の仮想線ＩＬ２ｘに対して、磁電変換素子２５ｅ，２５ｄ，２５ｊ，２５ｉとそれぞれ線対称に配設されている。
【００４８】
このように磁電変換素子２５ａ〜２５ｊを配設することで、磁電変換素子が円周上に等間隔で配設されている場合（比較例）と比較して、被測定電流路ＣＢが挿通されて且つ配設される磁電変換素子２５ａ〜２５ｊの配置でありながら、磁電変換素子２５ａ〜２５ｊの配設スペースを小さくできる。すなわち、比較例に係る磁電変換素子の場合には、被測定電流路ＣＢの配設位置を中心として周方向に等間隔で磁電変換素子が均等配置されている。そのため、磁電変換素子間から被測定電流路ＣＢを導入して配設位置に配設する場合、磁電変換素子同士の素子間隔として、少なくとも被測定電流路ＣＢが通過可能な間隔を確保する必要があるので、全ての磁電変換素子の配設領域が大きくなり、これに伴い配線基板が大型化してしまうことになる。
【００４９】
一方、本実施形態に係る磁電変換素子２５ａ〜２５ｊの配置の場合には、５個の磁電変換素子２５ａ〜２５ｅが長方形Ｌｘの長辺Ｌ１ｘ上に配設され、５個の磁電変換素子２５ｆ〜２５ｊが長方形Ｌｘの長辺Ｌ２ｘ上に配設されている。
そのため、磁電変換素子２５ａ〜２５ｅと磁電変換素子２５ｆ〜２５ｊとの配置に必要な短辺Ｌ３ｘ方向（Ｘ方向）の距離を短くできる。すなわち、被測定電流路ＣＢと隣接する電流路ＣＮとの距離を狭くできる。
その結果、上記比較例に係る磁電変換素子の配設領域と比べて、特に切欠１７の形成方向と直交する方向（第２の仮想線ＩＬ２の延在方向）における磁電変換素子２５ａ〜２５ｊの配設領域を小さくすることができ、配線基板１６の小型化、つまり電流センサ２０１の小型化が可能である。特に、切欠１７の左右の腕部１８の幅が狭くできる。
【００５０】
また、長方形Ｌｘの長辺Ｌ１ｘ上の磁電変換素子２５ｂ，２５ｃ，２５ｄは、第２の仮想線ＩＬ２ｘのＸ２方向から重心ＰＰを中心として時計回り及び反時計回りの方向にそれぞれ角度４５°以内の範囲に配設されている。
また、長辺Ｌ２ｘ上の磁電変換素子２５ｇ，２５ｈ，２５ｊは、第２の仮想線ＩＬ２ｘのＸ１方向から重心ＰＰを中心として時計回り及び反時計回りの方向にそれぞれ角度４５°以内の範囲に配設されている。
【００５１】
このように、磁電変換素子２５ａ〜２５ｊ素子間隔を長方形Ｌの長辺方向において均等にするのではなく、第２の仮想線ＩＬ２ｘのＸ１，Ｘ２方向から重心ＰＰを中心として時計回り及び反時計回りの方向にそれぞれ角度４５°以内の範囲に集中させることで、被測定電流路ＣＢからの磁界が強く、且つ磁界のＹ方向成分が大きい領域に多くの磁電変換素子を配置でき、隣り合う位置に配設された近隣電流路ＣＮからの外来磁場の影響を相対的に低減することができる。従って、外来磁場による磁電変換素子２５ａ〜２５ｊへの影響が低減されるので、磁電変換素子２５ａ〜２５ｊからの検出値を安定して得ることができる。
【００５２】
磁電変換素子２５ａ〜２５ｊの感度軸（磁気を感知する方向）の向きＳＪは、長方形Ｌｘの長辺Ｌ１ｘ,Ｌ２ｘあるいは短辺Ｌ３ｘと平行であり、且つ長方形Ｌｘに沿って一方向である。
具体的には、長方形Ｌの頂点に配設された磁電変換素子２５ａ，２５ｆの感度軸の向きＳＪはＸ１方向であり、磁電変換素子２５ｅ，２５ｊの感度軸の向きＳＪはＸ２方向である。
また、磁電変換素子２５ｂ，２５ｃ，２５ｄの感度軸の向きＳＪはＹ１方向であり、磁電変換素子２５ｇ，２５ｈ，２５ｉの感度軸の向きＳＪはＹ２方向である。
これにより、磁電変換素子２５ａ〜２５ｊは、重心ＰＰを中心に点対称位置にある磁電変換素子２５ｊ〜２５ａと感度軸の向きＳＪが逆になる。
後段の演算回路では、磁電変換素子２５ａ〜２５ｊの出力を加算することで、被測定電流路ＣＢの磁界に応じた成分を累積して有効化し、隣接する電流路ＣＮの磁界に応じた成分をキャンセルする。
【００５３】
磁電変換素子２５ｃ，２５ｈは、第２の仮想線ＩＬ２ｘ上にあるため、被測定電流路ＣＢからの磁界方向と、感度軸の向きＳＪとが略一致する。そのため、磁界を高感度で検出が可能である。
【００５４】
なお、図５の例において、磁電変換素子２５ｆの感度軸の向きＳＪを磁電変換素子２５ａとは逆のＸ２方向とし、磁電変換素子２５ｊの感度軸の向きＳＪを磁電変換素子２５ａとは逆のＸ１方向とし、磁電変換素子２５ｇ，２５ｈ，２５ｉの感度軸の向きＳＪを磁電変換素子２５ｂ，２５ｃ，２５ｄと同じＹ１方向としてもよい。
この場合は、後段の演算回路では、磁電変換素子２５ａ〜２５ｅの出力から、磁電変換素子２５ｆ〜２５ｊの出力を減算することで、被測定電流路ＣＢの磁界に応じた成分を累積して有効化し、隣接する電流路ＣＮの磁界に応じた成分をキャンセルする。
【００５５】
本磁電変換素子の電流センサ２０１によっても、第１磁電変換素子の電流センサ１０１と同様の効果が得られる。
【００５６】
＜第３実施形態＞
図６は、本発明の第３実施形態に係る電流センサ３０１の配線基板１６の上面図である。
図６において、図３と同じ符号を付した構成要素は第１実施形態で説明したものと同じである。
【００５７】
図６に示すように、電流センサ３０１では、第１実施形態と同様に、磁電変換素子１５ａ，１５ｂ，１５ｅ，１５ｆ，１５ｇ，１５ｈ，１５ｋ，１５ｌは、仮想の長方形Ｌ上に配設されている。
また、図６に示すように、電流センサ３０１は、第１実施形態の電流センサ１０１の磁電変換素子１５ｃ，１５ｄ，１５ｉ，１５ｊの代わりに、磁電変換素子３５ｃ，３５ｄ，３５ｉ，３５ｊを配設している。
【００５８】
磁電変換素子３５ｃ，３５ｄ，３５ｉ，３５ｊは、第１実施形態とは異なり、長方形Ｌの外側に配設されている。
磁電変換素子３５ｃ，３５ｄと磁電変換素子３５ｉ，３５ｊは、仮想線ＩＬ１に対して線対称である。
【００５９】
磁電変換素子３５ｉ，３５ｊは、長方形Ｌの重心ＰＰに対して、それぞれ磁電変換素子３５ｄ，３５ｃとそれぞれ点対称に配設されている。
その結果、磁電変換素子３５ｃ，３５ｉと磁電変換素子３５ｄ，３５ｊとは、仮想線ＩＬ２に対して線対称である。
【００６０】
磁電変換素子１５ｂ，３５ｃ，３５ｄ，１５ｅは、第２の仮想線ＩＬ２のＸ２方向から重心ＰＰを中心として時計回り及び反時計回りの方向にそれぞれ角度４５°以内の範囲に配設されている。
また、磁電変換素子１５ｈ，３５ｉ，３５ｊ，１５ｋは、第２の仮想線ＩＬ２のＸ１方向から重心ＰＰを中心として時計回り及び反時計回りの方向にそれぞれ角度４５°以内の範囲に配設されている。
【００６１】
磁電変換素子３５ｃ，３５ｄの感度軸の向きＳＪはＹ１方向であり、磁電変換素子３５ｉ，３５ｊの感度軸の向きＳＪはＹ２方向である。
後段の演算回路では、磁電変換素子１５ａ，１５ｂ，３５ｃ，３５ｄ，１５ｅ，１５ｆ，１５ｇ，１５ｈ，３５ｉ，３５ｊ，１５ｋ，１５ｌの出力を加算することで、被測定電流路ＣＢの磁界に応じた成分を累積して有効化し、隣接する電流路ＣＮの磁界に応じた成分をキャンセルする。
【００６２】
なお、図６の例において、磁電変換素子１５ｇの感度軸の向きＳＪを磁電変換素子１５ａとは逆のＸ２方向とし、磁電変換素子１５lの感度軸の向きＳＪを磁電変換素子１５fとは逆のＸ１方向とし、磁電変換素子１５ｈ，３５ｉ，３５ｊ，１５ｋの感度軸の向きＳＪを磁電変換素子１５ｂ，３５ｃ，３５ｄ，１５ｅと同じＹ１方向としてもよい。
この場合は、後段の演算回路では、磁電変換素子１５ａ，１５ｂ，３５ｃ，３５ｄ，１５ｅ，１５ｆの出力から、磁電変換素子１５ｇ，１５ｈ，３５ｉ，３５ｊ，１５ｋ，１５ｌの出力を減算することで、被測定電流路ＣＢの磁界に応じた成分を累積して有効化し、隣接する電流路ＣＮの磁界に応じた成分をキャンセルする。
【００６３】
電流センサ３０１において、被測定電流路ＣＢの真横に近い磁電変換素子３５ｃ，３５ｄ，３５ｉ，３５ｊは、磁界の向きと感磁方向が最も近いため感度が高い。
電流センサ３０１によれば、磁電変換素子３５ｃ，３５ｄ，３５ｉ，３５ｊを長方形Ｌの外側に配設することで、最も感度の高い磁電変換素子の感度を小さくして、広いダイナミックレンジで高精度に検出ができる。また、磁電変換素子の配置エリアの幅の広がりを小さくすることができる。
【００６４】
また、電流センサ３０１によれば、磁電変換素子３５ｃ，３５ｄ，３５ｉ，３５ｊを長方形Ｌの外側の長辺Ｌ１，Ｌ２に近接させ配設することで小型化できる。
また、電流センサ３０１によれば、第１実施形態の電流センサ１０１と同様の効果も得ることができる。
【００６５】
＜第４実施形態＞
図７は、本発明の第４実施形態に係る電流センサ４０１の配線基板１６の上面図である。
図７において、図５と同じ符号を付した構成要素は第２実施形態で説明したものと同じである。
【００６６】
図７に示すように、電流センサ４０１では、第２実施形態と同様に、磁電変換素子２５ａ，２５ｂ，２５ｄ，２５ｅ，２５ｆ，２５ｇ，２５ｉ，２５ｊは、仮想の長方形Ｌｘ上に配設されている。
また、  図７に示すように、電流センサ４０１は、第２実施形態の電流センサ２０１の磁電変換素子２５ｃ，２５ｈの代わりに、磁電変換素子４５ｃ，４５ｈを配設している。
【００６７】
磁電変換素子４５ｃ，４５ｈは、第２実施形態とは異なり、長方形Ｌｘの外側に配設されている。
磁電変換素子３５ｃ，３５ｄと磁電変換素子３５ｉ，３５ｊは、仮想線ＩＬ１に対して線対称である。
【００６８】
磁電変換素子３５ｉ，３５ｊは、長方形Ｌの重心ＰＰに対して、それぞれ磁電変換素子３５ｄ，３５ｃとそれぞれ点対称に配設されている。
その結果、磁電変換素子４５ｃと磁電変換素子４５ｈとは、仮想線ＩＬ２に対して線対称である。
磁電変換素子２５ｂ，４５ｃ，２５ｄは、第２の仮想線ＩＬ２ｘのＸ２方向から重心ＰＰを中心として時計回り及び反時計回りの方向にそれぞれ角度４５°以内の範囲に配設されている。
また、磁電変換素子２５ｇ，４５ｈ，２５ｉは、第２の仮想線ＩＬ２ｘのＸ１方向から重心ＰＰを中心として時計回り及び反時計回りの方向にそれぞれ角度４５°以内の範囲に配設されている。
【００６９】
磁電変換素子４５ｃの感度軸の向きＳＪはＹ１方向であり、磁電変換素子４５ｈの感度軸の向きＳＪはＹ２方向である。
後段の演算回路では、磁電変換素子２５ａ，２５ｂ，４５ｃ，２５ｄ，２５ｅ，２５ｆ，２５ｇ，４５ｈ，２５ｉ，２５ｊの出力を加算することで、被測定電流路ＣＢの磁界に応じた成分を累積して有効化し、隣接する電流路ＣＮの磁界に応じた成分をキャンセルする。
【００７０】
なお、図７の例において、磁電変換素子２５ｆの感度軸の向きＳＪを磁電変換素子２５ａとは逆のＸ２方向とし、磁電変換素子２５ｊの感度軸の向きＳＪを磁電変換素子２５ｅとは逆のＸ１方向とし、磁電変換素子２５ｇ，４５ｈ，２５ｉの感度軸の向きＳＪを磁電変換素子２５ｂ，４５ｃ，２５ｄと同じＹ１方向としてもよい。
この場合は、後段の演算回路では、磁電変換素子２５ａ，２５ｂ，４５ｃ，２５ｄ，２５ｅの出力から、磁電変換素子２５ｆ，２５ｇ，４５ｈ，２５ｉ，２５ｊの出力を減算することで、被測定電流路ＣＢの磁界に応じた成分を累積して有効化し、隣接する電流路ＣＮの磁界に応じた成分をキャンセルする。
【００７１】
電流センサ４０１において、被測定電流路ＣＢの真横に近い磁電変換素子４５ｃ，４５ｈは、磁界の向きと感磁方向が最も近いため感度が高い。
電流センサ４０１によれば、磁電変換素子４５ｃ，４５ｈを長方形Ｌの外側に配設することで、最も感度の高い磁電変換素子の感度を小さくして、広いダイナミックレンジで高精度に検出ができる。また、磁電変換素子の配置エリアの幅の広がりを小さくすることができる。
【００７２】
また、電流センサ４０１によれば、磁電変換素子４５ｃ，４５ｈを長方形Ｌの外側の長辺Ｌ１ｘ，Ｌ２ｘに近接させ配設することで小型化できる。
また、電流センサ４０１によれば、第１実施形態の電流センサ１０１と同様の効果も得ることができる。
図８は、本実施形態の電流センサ４０１と、１０個の磁電変換素子を仮想の楕円上に配置した比較例（楕円）とについて、被測定電流路ＣＢと近隣電流路ＣＮとの距離（ｍｍ）と、検出値への近隣電流路ＣＮの影響度（％）とを比較するための図である。図８Ａは電流センサ４０１と上記比較例（楕円）との磁電変換素子の配置を示し、横軸がＸ方向の位置を示し、縦軸がＹ方向の位置を示している。また、図８Ｂは、横軸が被測定電流路ＣＢと近隣電流路ＣＮとの距離（ｍｍ）を示し、縦軸が検出値への近隣電流路ＣＮの影響度（％）とを示している。
図８に示すように、電流センサ４０１によれば、上記比較例（楕円）に比べて、近隣電流路ＣＮの影響度（％）を小さくでき、高い測定精度を得ることができる。
【００７３】
本発明は上述した実施形態には限定されない。
すなわち、当業者は、本発明の技術的範囲またはその均等の範囲内において、上述した実施形態の構成要素に関し、様々な変更、コンビネーション、サブコンビネーション、並びに代替を行ってもよい。
上述した実施形態において、磁電変換素子の数は、１０個以上であれば、特に限定されない。
【００７４】
また、磁電変換素子間の距離についても特に限定されない。
また、上述した実施形態では、同一特性の磁電変換素子を用いる場合を例示したが、後段の演算回路において被測定電流路ＣＢの磁界に応じた成分を累積して有効化し、隣接する電流路ＣＮの磁界に応じた成分をキャンセルすることが可能な範囲において、２個以上の特性の磁電変換素子を用いてもよい。
【００７５】
また、上述した実施形態では、磁電変換素子としてＧＭＲ素子を好適に用いたが、磁気の方向を検知できる磁気検出素子であれば良く、ＭＲ（Magneto  Resistive）素子、ＡＭＲ（Anisotropic  Magneto  Resistive）素子、ＴＭＲ（Tunnel  Magneto  Resistive）素子、ホール素子等であっても良い。但し、ホール素子等の場合は、ＧＭＲ素子やＭＲ素子の感度軸と異なるので、使用するホール素子の感度軸に合わせて、実装に工夫が必要である。
【符号の説明】
【００７６】
１０１，２０１，３０１，４０１…電流センサ、１１…筐体、１３…コネクタ、１５，１５ａ〜１５ｌ，２５ａ〜２５ｊ，３５ｃ，３５ｄ，３５ｉ，３５ｊ，４５ｃ，４５ｈ…磁電変換素子、１６…配線基板、Ｌ…長方形、ＩＬ１，ＩＬ１ｘ…第１の仮想線、ＩＬ２，ＩＬ２ｘ…第１の仮想線、Ｌ１，Ｌ１ｘ,Ｌ２，Ｌ２ｘ…長辺、Ｌ３，Ｌ３ｘ…短辺、３１…ケース
【図１】
2015122064.tif 000003
【図２】
2015122064.tif 000004
【図３】
2015122064.tif 000005
【図４】
2015122064.tif 000006
【図５】
2015122064.tif 000007
【図６】
2015122064.tif 000008
【図７】
2015122064.tif 000009
【図８】
2015122064.tif 000010
【手続補正書】
【提出日】平成27年6月5日(2015.6.5)
【手続補正１】
【補正対象書類名】特許請求の範囲
【補正対象項目名】全文
【補正方法】変更
【補正の内容】
【特許請求の範囲】
【請求項１】
配線基板と、
前記配線基板に設けられ、被測定電流路を流れる電流によって発生する磁気を検出する複数の磁電変換素子と
を備え、
前記配線基板には、仮想の長方形の重心に前記被測定電流路を位置させるための切欠が形成され、
前記複数の磁電変換素子の内４つは、前記長方形の４個の頂点に設けられ、
残りの前記複数の磁電変換素子は、前記長方形の長辺に設けられ、
前記複数の磁電変換素子は、前記長方形の長辺と平行で当該長方形の重心を通る第１の仮想線に対して線対称且つ前記重心に点対称となるように設けられ、
前記長辺上の磁電変換素子は、前記第１の仮想線と直交し前記重心を通る第２の仮想線から、前記重心を中心として時計回り及び反時計回りの方向にそれぞれ角度４５°以内の範囲に配設され、
前記長辺上に配設された前記磁電変換素子の感度軸の向きは、前記長辺と平行であり、
前記頂点に配設された前記磁電変換素子の感度軸の向きは、短辺と平行であり、
前記重心を中心に点対称位置にある前記磁電変換素子同士の感度軸の向きは同一あるいは逆である
ことを特徴とする電流センサ。
【請求項２】
前記長辺上の磁電変換素子は、前記第２の仮想線に対して線対称に配設されている
請求項１に記載の電流センサ。
【請求項３】
前記長辺と前記第２の仮想線とが交わる２個の位置に磁電変換素子が配設されており、
前記長辺上の磁電変換素子のうち、前記長辺と前記第２の仮想線とが交わる位置に配設された磁電変換素子以外の磁電変換素子は、前記第２の仮想線に対して線対称に配設されている
請求項１に記載の電流センサ。
【請求項４】
配線基板と、
前記配線基板に設けられ、被測定電流路を流れる電流によって発生する磁気を検出する複数の磁電変換素子と
を備え、
前記配線基板には、仮想の長方形の重心に前記被測定電流路を位置させるための切欠が形成され、
前記複数の磁電変換素子の内４つは、前記長方形の４個の頂点に設けられ、
前記複数の磁電変換素子の内４つは、前記長方形の長辺に設けられ、
前記複数の磁電変換素子の内の２つは、前記第２の仮想線上で前記長方形の外側に配設され、
前記長辺上の磁電変換素子は、前記第１の仮想線と直交し前記重心を通る第２の仮想線から、前記重心を中心として時計回り及び反時計回りの方向にそれぞれ角度４５°以内の範囲に配設され、
前記長辺上の磁電変換素子は、前記第２の仮想線に対して線対称に配設され、
前記第２の仮想線上で前記長方形の外側に配置された磁電変換素子は、第１の仮想線に対して線対称に配設され、
前記長辺上に配設された前記磁電変換素子の感度軸の向きは、前記長辺と平行であり、
前記第２の仮想線上で前記長方形の外側に配置された前記磁電変換素子の感度軸の向きは、前記長辺と平行であり、
前記頂点に配設された前記磁電変換素子の感度軸の向きは、短辺と平行であり、
前記重心を中心に点対称位置にある前記磁電変換素子同士の感度軸の向きは同一あるいは逆である
ことを特徴とする電流センサ。
【請求項５】
配線基板と、
前記配線基板に設けられ、被測定電流路を流れる電流によって発生する磁気を検出する複数の磁電変換素子と
を備え、
前記配線基板には、仮想の長方形の重心に前記被測定電流路を位置させるための切欠が形成され、
前記複数の磁電変換素子の内４つは、前記長方形の４個の頂点に設けられ、
前記複数の磁電変換素子の内４つは、前記長方形の長辺に設けられ、
前記複数の磁電変換素子の内の４つは、前記長方形の外側に配設され、
前記長辺上の磁電変換素子は、前記第１の仮想線と直交し前記重心を通る第２の仮想線から、前記重心を中心として時計回り及び反時計回りの方向にそれぞれ角度４５°以内の範囲に配設され、
前記長辺上の磁電変換素子は、前記第２の仮想線に対して線対称に配設され、
前記長方形の外側に配置された磁電変換素子は、前記長辺上の４個の磁電変換素子よりも前記第２の仮想線に近くに配設され
前記長方形の外側に配設された磁電変換素子は、前記第１の仮想線に対して線対称に配設され
前記長方形の外側に配設された磁電変換素子は、前記第２の仮想線に対して線対称に配設され
前記長辺上に配設された前記磁電変換素子の感度軸の向きは、前記長辺と平行であり、
前記長方形の外側に配置された前記磁電変換素子の感度軸の向きは、前記長辺と平行であり、
前記頂点に配設された前記磁電変換素子の感度軸の向きは、短辺と平行であり、
前記重心を中心に点対称位置にある前記磁電変換素子同士の感度軸の向きは同一あるいは逆である
ことを特徴とする電流センサ。
【請求項６】
前記複数の磁電変換素子は、同一特性である
請求項１〜５のいずれかに記載の電流センサ。
【請求項７】
前記複数の磁電変換素子の感度軸が前記長方形に沿って一方向を向くように、前記複数の磁電変換素子が配設されている
請求項１〜６のいずれかに記載の電流センサ。
【手続補正書】
【提出日】平成28年8月9日(2016.8.9)
【手続補正１】
【補正対象書類名】特許請求の範囲
【補正対象項目名】全文
【補正方法】変更
【補正の内容】
【特許請求の範囲】
【請求項１】
配線基板と、
前記配線基板に設けられ、被測定電流路を流れる電流によって発生する磁気を検出する複数の磁電変換素子と
を備え、
前記配線基板には、仮想の長方形の重心に前記被測定電流路を位置させるための切欠が形成され、
前記複数の磁電変換素子の内４つは、前記長方形の４個の頂点に設けられ、
残りの前記複数の磁電変換素子は、前記長方形の長辺に設けられ、
前記複数の磁電変換素子は、前記長方形の長辺と平行で当該長方形の重心を通る第１の仮想線に対して線対称且つ前記重心に点対称となるように設けられ、
前記長辺上の磁電変換素子は、前記第１の仮想線と直交し前記重心を通る第２の仮想線から、前記重心を中心として時計回り及び反時計回りの方向にそれぞれ角度４５°以内の範囲に配設され、
前記長辺上に配設された前記磁電変換素子の感度軸の向きは、前記長辺と平行であり、
前記頂点に配設された前記磁電変換素子の感度軸の向きは、短辺と平行であり、
前記重心を中心に点対称位置にある前記磁電変換素子同士の感度軸の向きは同一あるいは逆である
ことを特徴とする電流センサ。
【請求項２】
前記長辺上の磁電変換素子は、前記第２の仮想線に対して線対称に配設されている
請求項１に記載の電流センサ。
【請求項３】
前記長辺と前記第２の仮想線とが交わる２個の位置に磁電変換素子が配設されており、
前記長辺上の磁電変換素子のうち、前記長辺と前記第２の仮想線とが交わる位置に配設された磁電変換素子以外の磁電変換素子は、前記第２の仮想線に対して線対称に配設されている
請求項１に記載の電流センサ。
【請求項４】
配線基板と、
前記配線基板に設けられ、被測定電流路を流れる電流によって発生する磁気を検出する複数の磁電変換素子と
を備え、
前記配線基板には、仮想の長方形の重心に前記被測定電流路を位置させるための切欠が形成され、
前記複数の磁電変換素子の内４つは、前記長方形の４個の頂点に設けられ、
前記複数の磁電変換素子の内４つは、前記長方形の長辺に設けられ、
前記複数の磁電変換素子の内の２つは、第２の仮想線上で前記長方形の外側に配設され、
前記長辺上の磁電変換素子は、第１の仮想線と直交し前記重心を通る第２の仮想線から、前記重心を中心として時計回り及び反時計回りの方向にそれぞれ角度４５°以内の範囲に配設され、
前記長辺上の磁電変換素子は、前記第２の仮想線に対して線対称に配設され、
前記第２の仮想線上で前記長方形の外側に配置された磁電変換素子は、第１の仮想線に対して線対称に配設され、
前記長辺上に配設された前記磁電変換素子の感度軸の向きは、前記長辺と平行であり、
前記第２の仮想線上で前記長方形の外側に配置された前記磁電変換素子の感度軸の向きは、前記長辺と平行であり、
前記頂点に配設された前記磁電変換素子の感度軸の向きは、短辺と平行であり、
前記重心を中心に点対称位置にある前記磁電変換素子同士の感度軸の向きは同一あるいは逆である
ことを特徴とする電流センサ。
【請求項５】
配線基板と、
前記配線基板に設けられ、被測定電流路を流れる電流によって発生する磁気を検出する複数の磁電変換素子と
を備え、
前記配線基板には、仮想の長方形の重心に前記被測定電流路を位置させるための切欠が形成され、
前記複数の磁電変換素子の内４つは、前記長方形の４個の頂点に設けられ、
前記複数の磁電変換素子の内４つは、前記長方形の長辺に設けられ、
前記複数の磁電変換素子の内の４つは、前記長方形の外側に配設され、
前記長辺上の磁電変換素子は、第１の仮想線と直交し前記重心を通る第２の仮想線から、前記重心を中心として時計回り及び反時計回りの方向にそれぞれ角度４５°以内の範囲に配設され、
前記長辺上の磁電変換素子は、前記第２の仮想線に対して線対称に配設され、
前記長方形の外側に配置された磁電変換素子は、前記長辺上の４個の磁電変換素子よりも前記第２の仮想線に近くに配設され、
前記長方形の外側に配設された磁電変換素子は、前記第１の仮想線に対して線対称に配設され、
前記長方形の外側に配設された磁電変換素子は、前記第２の仮想線に対して線対称に配設され、
前記長辺上に配設された前記磁電変換素子の感度軸の向きは、前記長辺と平行であり、
前記長方形の外側に配置された前記磁電変換素子の感度軸の向きは、前記長辺と平行であり、
前記頂点に配設された前記磁電変換素子の感度軸の向きは、短辺と平行であり、
前記重心を中心に点対称位置にある前記磁電変換素子同士の感度軸の向きは同一あるいは逆である
ことを特徴とする電流センサ。
【請求項６】
前記複数の磁電変換素子は、同一特性である
請求項１〜５のいずれかに記載の電流センサ。
【請求項７】
前記複数の磁電変換素子の感度軸が前記長方形に沿って一方向を向くように、前記複数の磁電変換素子が配設されている
請求項１〜６のいずれかに記載の電流センサ。
【手続補正２】
【補正対象書類名】明細書
【補正対象項目名】全文
【補正方法】変更
【補正の内容】
【発明の詳細な説明】
【技術分野】
【０００１】
本発明は、被測定電流路に流れる電流を検出する電流センサに関し、特に、磁電変換素子を用いて被測定電流路に流れる電流を検出する電流センサに関する。
【背景技術】
【０００２】
各種電子機器の制御や監視のために、被測定電流路に取り付けて被測定電流路に流れる電流を検出する電流センサが良く知られている。この種の電流センサとしては、ホール素子や磁気抵抗素子等の磁電変換素子を用いた電流センサが知られており、磁電変換素子の感度向上や外部磁場からの影響低減等のため、複数の磁電変換素子を用いられることがある。
このように複数の磁電変換素子を用いた電流センサでは、被測定電流路の周囲に発生する磁界の向きに合わせて、被測定電流路の周囲の仮想円上に複数の磁電変換素子を配設していた。
【０００３】
しかしながら、上述したように仮想円上に磁電変換素子を配設すると、電流センサが大型化し、被測定電流路と近隣電流路との距離が短い場合に、電流センサを設置できないという問題がある。
【０００４】
このような問題を解決するために、特許文献１の電流センサでは、被測定電流路の位置を中心とし、当該被測定電流路と近隣電流路とを結ぶ方向を短軸とする仮想楕円上に複数の磁電変換素子を配設している。当該電流センサによれば、近隣電流路の外来磁場の影響を大きく受けずに安定した電流検出ができると共に、小型化が図れる。
【先行技術文献】
【特許文献】
【０００５】
【特許文献１】国際公開ＷＯ２０１３／１２８９９３号
【発明の概要】
【発明が解決しようとする課題】
【０００６】
ところで、電流センサには、被測定電流路と近隣電流路との距離がさらに短い場合においても設置可能であり、近隣電流路の外来磁場の影響を大きく受けずに安定した電流検出したいという要請がある。
【０００７】
本発明はかかる事情に鑑みてなされたものであり、その目的は、さらなる小型化が図れると共に、近隣電流路の外来磁場の影響を大きく受けずに安定した電流検出ができる電流センサを提供することにある。
【課題を解決するための手段】
【０００８】
上述した従来技術の問題点を解決し、上述した目的を達成するために、本発明の電流センサは、配線基板と、前記配線基板に設けられ、被測定電流路を流れる電流によって発生する磁気を検出する複数の磁電変換素子とを備え、前記配線基板には、仮想の長方形の重心に前記被測定電流路を位置させるための切欠が形成され、前記複数の磁電変換素子の内４つは、前記長方形の４個の頂点に設けられ、残りの前記複数の磁電変換素子は、前記長方形の長辺に設けられ、前記複数の磁電変換素子は、前記長方形の長辺と平行で当該長方形の重心を通る第１の仮想線に対して線対称且つ前記重心に点対称となるように設けられ、前記長辺上の磁電変換素子は、前記第１の仮想線と直交し前記重心を通る第２の仮想線から、前記重心を中心として時計回り及び反時計回りの方向にそれぞれ角度４５°以内の範囲に配設され、前記長辺上に配設された前記磁電変換素子の感度軸の向きは、前記長辺と平行であり、前記頂点に配設された前記磁電変換素子の感度軸の向きは、短辺と平行であり、前記重心を中心に点対称位置にある前記磁電変換素子同士の感度軸の向きは同一あるいは逆である。
【０００９】
上記構成によれば、上述したように磁電変換素子を配設することで、第２の仮想線が延在する方向において、磁電変換素子を配設する領域を小さくでき、被測定電流路と隣接する電流路（近隣電流路）との距離を狭くできる。これにより、配線基板１６の小型化、つまり電流センサ１０１の小型化が可能である。
また、近隣電流路からの外来磁場の影響を相対的に低減することができる。従って、外来磁場による磁電変換素子への影響が低減されるので、磁電変換素子からの検出値を安定して得ることができる。
また、上述したように、仮想の長方形の長辺と短辺に平行に磁電変換素子の感度軸の方向を規定したことで、磁電変換素子が円周上に等間隔で配設されている場合と比較して、各磁電変換素子を配線基板１６に実装する際に、容易に実装することができると共に、配線基板と磁電変換素子との位置関係を容易に設計することができる。従って、被測定電流路の取付け角度や取付け位置等の精度を高めることができるので、測定精度を向上させることができる。
また、上記構成によれば、各磁電変換素子に加わる磁界の向きと、感磁方向は４５度未満となっており、良好な感度を保つことができる。
また、上記構成によれば、磁電変換素子は、仮想の長方形の長辺及び短辺方向で位置調整をすればよく、測定精度を高める設計が容易になる。
【００１０】
好適には、本発明の電流センサの前記長辺上の磁電変換素子は、前記第２の仮想線に対して線対称に配設されている。
上記構成によれば、位置調整が簡単であり、測定精度を高める設計が容易になる。
好適には、本発明の電流センサでは、前記長辺と前記第２の仮想線とが交わる２個の位置に磁電変換素子が配設されており、前記長辺上の磁電変換素子のうち、前記長辺上と前記第２の仮想線とが交わる位置に配設された磁電変換素子以外の磁電変換素子は、前記第２の仮想線に対して線対称に配設されている。
上記構成によれば、位置調整が簡単であり、測定精度を高める設計が容易になる。また、上記構成によれば、被測定電流路からの磁界が強く、且つ磁界の第１の仮想線に沿った方向成分が大きい領域に多くの磁電変換素子を配置でき、隣り合う位置に配設された近隣電流路からの外来磁場の影響を相対的に低減することができる。従って、外来磁場による磁電変換素子への影響が低減されるので、磁電変換素子からの検出値を安定して得ることができる。
【００１１】
本発明の電流センサは、配線基板と、前記配線基板に設けられ、被測定電流路を流れる電流によって発生する磁気を検出する複数の磁電変換素子とを備え、前記配線基板には、仮想の長方形の重心に前記被測定電流路を位置させるための切欠が形成され、前記複数の磁電変換素子の内４つは、前記長方形の４個の頂点に設けられ、残りの前記複数の磁電変換素子は、前記長方形の長辺に設けられ、前記複数の磁電変換素子は、前記長方形の長辺と平行で当該長方形の重心を通る第１の仮想線に対して線対称且つ前記重心に点対称となるように設けられ、前記長辺上の磁電変換素子は、前記第１の仮想線と直交し前記重心を通る第２の仮想線から、前記重心を中心として時計回り及び反時計回りの方向にそれぞれ角度４５°以内の範囲に配設され、前記長辺上に配設された前記磁電変換素子の感度軸の向きは、前記長辺と平行であり、前記頂点に配設された前記磁電変換素子の感度軸の向きは、短辺と平行であり、前記重心を中心に点対称位置にある前記磁電変換素子同士の感度軸の向きは同一あるいは逆である。
上記構成によれば、磁電変換素子を仮想の長方形の外側に配設することで、最も感度の高い磁電変換素子の感度を小さくして、広いダイナミックレンジで高精度に検出ができる。また、磁電変換素子の配置エリアの幅の広がりを小さくすることができる。
【００１２】
本発明の電流センサは、配線基板と、前記配線基板に設けられ、被測定電流路を流れる電流によって発生する磁気を検出する複数の磁電変換素子とを備え、前記配線基板には、仮想の長方形の重心に前記被測定電流路を位置させるための切欠が形成され、前記複数の磁電変換素子の内４つは、前記長方形の４個の頂点に設けられ、前記複数の磁電変換素子の内４つは、前記長方形の長辺に設けられ、前記複数の磁電変換素子の内の４つは、前記長方形の外側に配設され、前記長辺上の磁電変換素子は、第１の仮想線と直交し前記重心を通る第２の仮想線から、前記重心を中心として時計回り及び反時計回りの方向にそれぞれ角度４５°以内の範囲に配設され、前記長辺上の磁電変換素子は、前記第２の仮想線に対して線対称に配設され、前記長方形の外側に配置された磁電変換素子は、前記長辺上の４個の磁電変換素子よりも前記第２の仮想線に近くに配設され、前記長方形の外側に配設された磁電変換素子は、前記第１の仮想線に対して線対称に配設され、前記長方形の外側に配設された磁電変換素子は、前記第２の仮想線に対して線対称に配設され、前記長辺上に配設された前記磁電変換素子の感度軸の向きは、前記長辺と平行であり、前記長方形の外側に配置された前記磁電変換素子の感度軸の向きは、前記長辺と平行であり、前記頂点に配設された前記磁電変換素子の感度軸の向きは、短辺と平行であり、前記重心を中心に点対称位置にある前記磁電変換素子同士の感度軸の向きは同一あるいは逆である。
上記構成によれば、磁電変換素子を仮想の長方形の外側に配設することで、最も感度の高い磁電変換素子の感度を小さくして、広いダイナミックレンジで高精度に検出ができる。また、磁電変換素子の配置エリアの幅の広がりを小さくすることができる。
【００１３】
好適には、本発明の電流センサの前記複数の磁電変換素子は、同一特性である。
好適には、本発明の電流センサでは、前記複数の磁電変換素子の感度軸が前記長方形に沿って一方向を向くように、前記複数の磁電変換素子が配設されている。
上記構成によれば、測定精度を高める設計が容易になる。
【発明の効果】
【００１４】
本発明によれば、さらなる小型化が図れると共に、近隣電流路の外来磁場の影響を大きく受けずに安定した電流検出ができる電流センサを提供することができる。
【図面の簡単な説明】
【００１５】
【図１】図１は、本発明の第１実施形態に係る電流センサを示す分解斜視図である。
【図２】図２は、本発明の第１実施形態に係る電流センサを示す斜視図である。
【図３】図３は、本発明の第１実施形態に係る電流センサを説明するための図であって、図１に示すＺ１側から見た配線基板の上面図である。
【図４】図４は、本発明の第２実施形態に係る電流センサを示す分解斜視図である。
【図５】図５は、本発明の第２実施形態に係る電流センサを説明するための図であって、図１に示すＺ１側から見た配線基板の上面図である。
【図６】図６は、本発明の第３実施形態に係る電流センサの配線基板の上面図である。
【図７】図７は、本発明の第４実施形態に係る電流センサの配線基板の上面図である。
【図８】図８は、本発明の第２実施形態の電流センサと、１０個の磁電変換素子を仮想の楕円上に配置した比較例（楕円）とについて、被測定電流路ＣＢと近隣電流路ＣＮとの距離と、検出値への近隣電流路の影響度とを比較するための図である。
【発明を実施するための形態】
【００１６】
＜第１実施形態＞
図１は、本発明の第１実施形態に係る電流センサ１０１を示す分解斜視図である。図２は、本発明の第１実施形態に係る電流センサ１０１を示す斜視図である。図３は、本発明の第１実施形態に係る電流センサ１０１を説明するための図であって、図１に示すＺ１側から見た配線基板１６の上面図である。
【００１７】
図１及び図２に示すように、本発明の第１実施形態に係る電流センサ１０１は、被測定電流路ＣＢに電流が流れたときに発生する磁気を検出する複数の磁電変換素子１５と、複数の磁電変換素子１５が配置された配線基板１６とを備えて構成されている。また、電流センサ１０１は、配線基板１６を収納する収納部１１ｓを有する筐体１１と、磁電変換素子１５からの電気信号を取り出すための取出し端子１３ｔを有したコネクタ１３と、被測定電流路ＣＢを固定し保持するための保持部材１４と、を備えている。
【００１８】
筐体１１は、例えば、ＡＢＳ（アクリロニトリルブタジエンスチレン）、ＰＥＴ（ポリエチレンテレフタレート）等の合成樹脂材料で形成されている。この筐体１１は、上方が開口した箱状のケース３１と、ケース３１の開口部を塞ぐような板状のカバー４１と、から構成され、ケース３１内部に、配線基板１６を収納する収納部１１ｓが形成されている。なお、筐体１１の材質に合成樹脂材料を用いたが、これに限定されるものではなく、例えば、強磁性体でなければ、金属材料を用いた構成にしても良い。
【００１９】
ケース３１には、その一辺側からケース３１の中心側に向かって切り欠かれた凹部（凹溝）３２が形成され、この凹部３２内に被測定電流路ＣＢが導入されて保持されるように構成されている。凹部３２の奥壁３２ａは、被測定電流路ＣＢの外周面と相補形状に形成されている。本実施の形態では、凹部３２の奥壁３２ａは、円筒形状の被測定電流路ＣＢの外周面に対応するように円弧状に湾曲して形成されている。また、奥壁３２ａに連なるケース３１の対向する内側壁３２ｂには、クリップバネ１４Ｋの自由端部側を係止する切欠３２ｃが、それぞれ対峙する位置に形成されている。切欠３２ｃは、内側壁３２ｂの上端部側から下方に向かって切り欠かれ、入り口側の端面が、外方に向かって傾斜するように形成されている。被測定電流路ＣＢは、その外周面の奥側を凹部３２の奥壁３２ａに当接させた状態で、手前側を切欠３２ｃから凹部３２内に突出するクリップバネ１４Ｋによって挟持されることで、筐体１１に対して保持される。この凹部３２の奥壁３２ａとクリップバネ１４Ｋとで挟持される位置が、筐体１１に対する被測定電流路ＣＢの配設位置ＰＰとなる。本実施形態では、配設位置ＰＰが、後述する仮想の長方形Ｌの重心ＰＰとなる。
【００２０】
カバー４１は、一方の辺部に、ケース３１の凹部３２と対応するように同一形状の開口部４２が形成され、この開口部４２の形成された辺部と反対側の辺部に、コネクタ１３の上端部を筐体１１外部に露出させるための開口部４３が形成されている。
【００２１】
保持部材１４は、被測定電流路ＣＢを固定し保持するための部材であり、被測定電流路ＣＢの外縁を挟み込んで保持するクリップバネ１４Ｋと、被測定電流路ＣＢが配設位置ＰＰに配設された後にクリップバネ１４Ｋを押さえる押し部材１４Ｈとを備えている。
【００２２】
クリップバネ１４Ｋは、短冊状の板ばねを平面視略円形状に湾曲させて、自由端部側に間隙１４Ｌが形成されるように、２個の自由端部を離間する方向（外方）に折り曲げて形成されている。このクリップバネ１４Ｋは、ケース３１の収納部１１ｓ内に収容され、湾曲部分を凹部３２の奥壁３２ａに沿わせた状態で、自由端部を切欠３２ｃの傾斜面に当接させて自由端部側の折り曲げ部分を切欠３２ｃから凹部３２内に突出させるように配設される。ここで、クリップバネ１４Ｋの自由端部側の折り曲げ部分間の間隙１４Ｌは、被測定電流路ＣＢを配設位置ＰＰへの導入を許容すると共に配設位置ＰＰから容易に脱落しないように、凹部３２内に導入される被測定電流路ＣＢの最大径（最大幅）寸法よりも狭くなるように形成されている。
【００２３】
押し部材１４Ｈは、略直方体形状で形成されており、ケース３１に形成された凹部３２に強嵌合されるサイズで作製されている。この押し部材１４Ｈは、クリップバネ１４Ｋを押さえた状態で、ケース３１の凹部３２内に保持される。このように構成された電流センサ１０１において、被測定電流路ＣＢがケース３１の凹部３２に導入されて凹部３２内に露出するクリップバネ１４Ｋの折り曲げ部分に押し当てられると、クリップバネ１４Ｋが撓みを許容して、自由端部が切欠３２ｃの傾斜面に案内されながら折り曲げ部分が収納部１１ｓ内に逃がされ、折り曲げ部分間の間隙１４Ｌが広がっていく。被測定電流路ＣＢをさらに押し込んで奥壁３２ａに当接させると、自由端部が切欠３２ｃの傾斜面に案内されながら折り曲げ部分が凹部３２内に露出する初期位置に復帰する。このとき、被測定電流路ＣＢの外周面は、奥壁３２ａ及びクリップバネ１４Ｋの折り曲げ部分によって挟持される。そして、押し部材１４Ｈが凹部３２内に押し込まれると、クリップバネ１４Ｋ（の折り曲げ部分）が抑え込まれる。この押し部材１４Ｈ及びクリップバネ１４Ｋからなる保持部材１４が凹部３２の奥壁３２ａと協働することによって、被測定電流路ＣＢが配設位置ＰＰに精度良く配設させることができる。なお、本実施形態では、被測定電流路ＣＢの断面形状を円形にしたが、矩形の断面形状の被測定電流路であっても良い。この場合には、保持部材１４のクリップバネ１４Ｋは、矩形の断面形状の被測定電流路に対応した形状にすることが望ましい。
【００２４】
配線基板１６は、例えば、一般に広く知られている両面のプリント配線板（ＰＣＢ）を用いられ、ガラス入りのエポキシ樹脂からなるベース基板上に設けられた銅（Ｃｕ）等の金属箔をパターニングして、配線パターンが形成されている。配線基板１６は、ケース３１の収納部１１ｓに収納可能な大きさで形成されており、その一辺部に、被測定電流路ＣＢが挿通されて且つ配設される切欠１７が形成されている。すなわち、配線基板１６は、収納部１１ｓの底面部と相似形状に形成されており、ケース３１の凹部３２と相補形状の切欠部１７が形成されている。図１及び図３に示すように、配線基板１６の切欠１７の近傍には、複数（１２個）の磁電変換素子１５が配置され、切欠１７が形成される辺部と対向する辺部近傍にはコネクタ１３が配設されている。なお、磁電変換素子１５の詳細な配置位置については後述する。また、本実施形態では、配線基板１６にガラス入りのエポキシ樹脂からなるプリント配線板（ＰＣＢ）を用いたが、これに限定されるものではなく、絶縁性のリジット基板であれば良く、例えばセラミック配線板を用いても良い。また、本実施形態では、配線基板１６に両面のプリント配線板（ＰＣＢ）を用いたが、回路設計の結果に応じて片面のプリント配線板（ＰＣＢ）を用いても良い。
【００２５】
コネクタ１３は、相手側コネクタ（図示省略）と電気的に接続する複数の端子を備えており、これら複数の端子の中に、磁電変換素子１５からの電気信号を取り出すため取出し端子１３ｔを有している。また、コネクタ１３は、相手側コネクタ（図示省略）と嵌合するための絶縁基体１３Ｋを備えている。絶縁基体１３Ｋは、上方が開口した箱状に形成され、その内部に、取出し端子１３ｔを含む複数の端子が、各端子間を絶縁した状態で保持され収納されている。なお、本実施形態では、磁電変換素子１５からの電気信号を取り出すためにコネクタ１３を用いたが、コネクタ１３に限らず、例えば、フレキシブルプリント配線板（ＦＰＣ：Flexible  Printed  Circuits）等を用いても良い。
【００２６】
磁電変換素子１５は、被測定電流路ＣＢに電流が流れたときに発生する磁気を検出する電流センサ素子であって、例えば、巨大磁気抵抗効果を用いた磁気検出素子（ＧＭＲ（Giant  Magneto  Resistive）素子という）を用いることが可能である。この磁電変換素子１５は、説明を容易にするため詳細な図示は省略したが、ＧＭＲ素子をシリコン基板上に作製した後、切り出されたチップを熱硬化性の合成樹脂でパッケージングし、信号の取り出しのためのリード端子がＧＭＲ素子と電気的に接続されて構成されている。そして、このリード端子により、配線基板１６にはんだ付けがされている。
【００２７】
図３に示すように、電流センサ１０１では、重心ＰＰの仮想的な長方形Ｌ上に１２個の磁電変換素子１５ａ〜１５ｌが配設さている。
なお、本実施形態において、磁電変換素子１５ａ〜１５ｌが長方形Ｌ等の上にあるとは、磁電変換素子１５の中心点が略長方形Ｌ等の長辺、短辺あるいは頂点の上にあることを意味する。
磁電変換素子１５ａ〜１５ｌは、例えば、同一の磁電変換特性を有している。これにより、電流センサ１０１の測定精度を高めるための設計が容易になる。
【００２８】
長方形Ｌの重心ＰＰは、前述したように、被測定電流路ＣＢの横断面（Ｘ，Ｙ断面）の中心となる。切欠１７は、被測定電流路ＣＢに対して電流センサ１０１を位置決めした際に、仮想の長方形Ｌの重心ＰＰに被測定電流路ＣＢの中心を位置させることが可能な形状を有している。
図３に示すように、Ｙ１方向から見て切欠１７の左側（Ｘ２方向側）の配線基板１６の表面には、磁電変換素子１５ａ〜１５ｆが配設されている。また、Ｙ１方向から見て切欠１７の右側（Ｘ１方向側）の配線基板１６の表面には、磁電変換素子１５ｇ〜１５ｌが配設されている。
ここで、磁電変換素子１５ａ，１５ｆ，１５ｇ，１５ｌは長方形Ｌの４個の頂点に配設されている。
【００２９】
また、磁電変換素子１５ｂ，１５ｃ，１５ｄ，１５ｅは長方形Ｌの仮想の長辺Ｌ１上に配設され、磁電変換素子１５ｇ，１５ｈ，１５ｉ，１５ｊ，１５ｋは長方形Ｌの仮想的な長辺Ｌ２上に配設されている。
磁電変換素子１５ｇ，１５ｈ，１５ｉ，１５ｊ，１５ｋは、長辺Ｌ１，Ｌ２と平行で重心ＰＰを通る第１の仮想線ＩＬ１に対して、磁電変換素子１５ｂ，１５ｃ，１５ｄ，１５ｅとそれぞれ線対称に配設されている。
【００３０】
磁電変換素子１５ｇ，１５ｈ，１５ｉ，１５ｊ，１５ｋは、長方形Ｌの重心ＰＰに対して、それぞれ磁電変換素子１５ｆ，１５ｅ，１５ｄ，１５ｃ，１５ｂ，１５ａとそれぞれ点対称に配設されている。
その結果、磁電変換素子１５ａ，１５ｂ，１５ｃ，１５ｇ，１５ｈ，１５ｉは、第１の仮想線ＩＬ１と直交し重心ＰＰを通る第２の仮想線ＩＬ２に対して、磁電変換素子１５ｆ，１５ｅ，１５ｄ，１５ｌ，１５ｋ，１５ｊとそれぞれ線対称に配設されている。
【００３１】
このように磁電変換素子１５ａ〜１５ｌを配設することで、磁電変換素子が円周上に等間隔で配設されている場合（比較例）と比較して、被測定電流路ＣＢが挿通されて且つ配設される磁電変換素子１５ａ〜１５ｌの配置でありながら、磁電変換素子１５ａ〜１５ｌの配設スペースを小さくできる。すなわち、比較例に係る磁電変換素子の場合には、被測定電流路ＣＢの配設位置を中心として周方向に等間隔で磁電変換素子が均等配置されている。そのため、磁電変換素子間から被測定電流路ＣＢを導入して配設位置に配設する場合、磁電変換素子同士の素子間隔として、少なくとも被測定電流路ＣＢが通過可能な間隔を確保する必要があるので、全ての磁電変換素子の配設領域が大きくなり、これに伴い配線基板が大型化してしまうことになる。
【００３２】
一方、本実施形態に係る磁電変換素子１５の配置の場合には、６個の磁電変換素子１５ａ〜１５ｆが長方形Ｌの長辺Ｌ１上に配設され、６個の磁電変換素子１５ｇ〜１５ｌが長方形Ｌの長辺Ｌ２上に配設されている。
そのため、磁電変換素子１５ａ〜１５ｆと磁電変換素子１５ｇ〜１５ｌとの配置に必要な短辺Ｌ３方向（Ｘ方向）の距離を短くできる。すなわち、被測定電流路ＣＢと隣接する電流路ＣＮとの距離を狭くできる。
その結果、比較例３に係る磁電変換素子Ｃ３５の配設領域と比べて、特に切欠１７の形成方向と直交する方向（第２の仮想線ＩＬ２の延在方向）における磁電変換素子１５の配設領域を小さくすることができ、配線基板１６の小型化、つまり電流センサ１０１の小型化が可能である。特に配電盤のように複数の電流路を、できるだけ狭い間隔で設けたい用途では、切欠１７の左右の腕部１８の幅を狭くできることが重要となる。
【００３３】
また、長方形Ｌの長辺Ｌ１上の磁電変換素子１５ｂ，１５ｃ，１５ｄ，１５ｅは、第２の仮想線ＩＬ２のＸ２方向から重心ＰＰを中心として時計回り及び反時計回りの方向にそれぞれ角度４５°以内の範囲に配設されている。
【００３４】
また、長辺Ｌ２上の磁電変換素子１５ｈ，１５ｉ，１５ｊ，１５ｋは、第２の仮想線ＩＬ２のＸ１方向から重心ＰＰを中心として時計回り及び反時計回りの方向にそれぞれ角度４５°以内の範囲に配設されている。
【００３５】
このように、磁電変換素子１５ａ〜１５ｆ及び磁電変換素子１５ｇ〜１５ｌの素子間隔を長方形Ｌの長辺方向において均等にするのではなく、第２の仮想線ＩＬ２のＸ１，Ｘ２方向から重心ＰＰを中心として時計回り及び反時計回りの方向にそれぞれ角度４５°以内の範囲に集中させることで、被測定電流路ＣＢの磁界が強く、且つ磁界のＹ方向成分が大きい領域に多くの磁電変換素子を配置でき、隣り合う位置に配設された近隣電流路ＣＮからの外来磁場の影響を相対的に低減することができる。従って、外来磁場による磁電変換素子１５への影響が低減されるので、磁電変換素子１５からの検出値を安定して得ることができる。
【００３６】
磁電変換素子１５ａ〜１５ｌの感度軸（磁気を感知する方向）の向きＳＪは、長方形Ｌの長辺Ｌ１，Ｌ２あるいは短辺Ｌ３と平行であり、且つ長方形Ｌに沿って一方向である。これにより、電流センサ１０１の測定精度を高める設計が容易になる。
具体的には、長方形Ｌの頂点に配設された磁電変換素子１５ａ，１５ｇの感度軸の向きＳＪはＸ１方向であり、磁電変換素子１５ｆ，１５ｌの感度軸の向きＳＪはＸ２方向である。
また、磁電変換素子１５ｂ，１５ｃ，１５ｄ，１５ｅの感度軸の向きＳＪはＹ１方向であり、磁電変換素子１５ｈ，１５ｉ，１５ｊ，１５ｋの感度軸の向きＳＪはＹ２方向である。
これにより、磁電変換素子１５ａ〜１５ｌは、重心ＰＰを中心に点対称位置にある磁電変換素子１５ｌ〜１５ａと感度軸の向きＳＪが逆になる。
後段の演算回路では、磁電変換素子１５ａ〜１５ｌの出力を加算することで、被測定電流路ＣＢの磁界に応じた成分を累積して有効化し、隣接する電流路ＣＮの磁界に応じた成分をキャンセルする。
【００３７】
なお、図３の例において、磁電変換素子１５ｇの感度軸の向きＳＪを磁電変換素子１５ａとは逆のＸ２方向とし、磁電変換素子１５lの感度軸の向きＳＪを磁電変換素子１５fとは逆のＸ１方向とし、磁電変換素子１５ｈ，１５ｉ，１５ｊ，１５ｋの感度軸の向きＳＪを磁電変換素子１５ｂ，１５ｃ，１５ｄ，１５ｅと同じＹ１方向としてもよい。
この場合は、後段の演算回路では、磁電変換素子１５ａ〜１５ｆの出力から、磁電変換素子１５ｇ〜１５ｌの出力を減算することで、被測定電流路ＣＢの磁界に応じた成分を累積して有効化し、隣接する電流路ＣＮの磁界に応じた成分をキャンセルする。
【００３８】
以上説明したように、電流センサ１０１によれば、図３に示すように磁電変換素子１５ａ〜１５ｌを配置したことで、磁電変換素子１５ａ〜１５ｌの配置エリアのＸ方向の幅を最小限にでき、被測定電流路ＣＢと隣接する電流路ＣＮとの距離を狭くできる。これにより、配線基板１６の小型化、つまり電流センサ１０１の小型化が可能である。特に、切欠１７の左右の腕部１８の幅が狭くできる。
【００３９】
また、電流センサ１０１によれば、図３に示すように磁電変換素子１５ａ〜１５ｌを配置したことで、隣り合う位置に配設された近隣電流路ＣＮからの外来磁場の影響を相対的に低減することができる。従って、外来磁場による磁電変換素子１５ａ〜１５ｌへの影響が低減されるので、磁電変換素子１５ａ〜１５ｌからの検出値を安定して得ることができる。このように隣接電線の影響を除けることを、シミュレーションで確認した。
【００４０】
また、電流センサ１０１によれば、図３に示すように磁電変換素子１５ａ〜１５ｌの感度軸の方向ＳＪを規定したことで、磁電変換素子Ｃ３５が円周上に等間隔で配設されている場合（比較例）と比較して、各磁電変換素子１５ａ〜１５ｌを配線基板１６に実装する際に、容易に実装することができると共に、配線基板１６と磁電変換素子１５ａ〜１５ｌとの位置関係を容易に設計することができる。従って、被測定電流路ＣＢの取付け角度や取付け位置等の精度を高めることができるので、測定精度を向上させることができる。
【００４１】
電流センサ１０１では、各磁電変換素子１５ａ〜１５ｌに加わる磁界の向きと、感磁方向は４５度未満となっており、良好な感度を保つことができる。
電流センサ１０１では、被測定電流路ＣＢに流れる電流と、隣接する電流路ＣＮに流れる電流の向きが同じ場合、長方形Ｌの頂点の磁電変換素子１５ａ，１５ｆ，１５ｇ，１５ｌと、隣接する電流路ＣＮから遠い側の長辺Ｌ１，Ｌ２上の磁電変換素子１５ｂ，１５ｃ，１５ｄ，１５ｅ，１５ｈ，１５ｉ，１５ｊ，１５ｋは＋側の誤差となる。一方隣接する電流路ＣＮから近い側の長辺Ｌ１，Ｌ２の磁電変換素子は−側の誤差となる。＋側の誤差と−側の誤差があるため、誤差を打ち消すようにできる。
【００４２】
電流センサ１０１では、１２個の磁電変換素子１５ａ〜１５ｌを用いることから、切欠１７の両側に２列の直線上に磁電変換素子を配置でき、長方形Ｌの長辺Ｌ１,Ｌ２及び短辺Ｌ３方向で位置調整をすればよく、測定精度を高める設計が容易になる。
【００４３】
＜第２実施形態＞
図４は、本発明の第２実施形態に係る電流センサ２０１を示す分解斜視図である。図５は、本発明の第２実施形態に係る電流センサ２０１を説明するための図であって、図４に示すＺ１側から見た配線基板１６の上面図である。
【００４４】
図４及び図５に示すように、配線基板１６の切欠１７の近傍には、複数（１０個）の磁電変換素子２５ａ〜２５ｊが配置されている。
【００４５】
図５に示すように、電流センサ２０１では、重心ＰＰの仮想的な長方形Ｌｘ上に１０個の磁電変換素子２５ａ〜２５ｊが配設さている。重心ＰＰは、被測定電流路ＣＢの横断面（Ｘ，Ｙ断面）の中心となる。切欠１７は、被測定電流路ＣＢに対して電流センサ２０１を位置決めした際に、仮想の長方形Ｌｘの重心に被測定電流路ＣＢの中心を位置させることが可能な形状を有している。
図５に示すように、Ｙ１方向から見て切欠１７の左側（Ｘ２方向側）の配線基板１６の表面には、磁電変換素子２５ａ〜２５ｅが配設されている。また、Ｙ１方向から見て切欠１７の右側（Ｘ１方向側）の配線基板１６の表面には、磁電変換素子２５ｆ〜２５ｊが配設されている。
ここで、磁電変換素子２５ａ，２５ｅ，２５ｆ，２５ｊは長方形Ｌの４個の頂点に配設されている。
【００４６】
また、磁電変換素子２５ｂ，２５ｃ，２５ｄは長方形Ｌｘの長辺Ｌ１ｘ上に配設され、磁電変換素子２５ｇ，２５ｈ，２５ｉは長方形Ｌｘの仮想的な長辺Ｌ２ｘ上に配設されている。
磁電変換素子２５ｃ，２５ｈは、第１の仮想線ＩＬ１ｘと直交し重心ＰＰを通る第２の仮想線ＩＬ２ｘ上に配設されている。
磁電変換素子２５ｆ，２５ｇ，２５ｈ，２５ｉ，２５ｊは、長辺Ｌ１ｘ，Ｌ２ｘと平行で重心ＰＰを通る第１の仮想線ＩＬ１ｘに対して、磁電変換素子２５ａ，２５ｂ，２５ｃ，２５ｄ，２５ｅとそれぞれ線対称に配設されている。
【００４７】
磁電変換素子２５ｆ，２５ｇ，２５ｈ，２ｉ，２５ｊは、長方形Ｌｘの重心ＰＰに対して、それぞれ磁電変換素子２５ｅ，２５ｄ，２５ｃ，２５ｂ，２５ａとそれぞれ点対称に配設されている。
その結果、磁電変換素子２５ａ，２５ｂ，２５ｆ，２５ｇは、第２の仮想線ＩＬ２ｘに対して、磁電変換素子２５ｅ，２５ｄ，２５ｊ，２５ｉとそれぞれ線対称に配設されている。
【００４８】
このように磁電変換素子２５ａ〜２５ｊを配設することで、磁電変換素子が円周上に等間隔で配設されている場合（比較例）と比較して、被測定電流路ＣＢが挿通されて且つ配設される磁電変換素子２５ａ〜２５ｊの配置でありながら、磁電変換素子２５ａ〜２５ｊの配設スペースを小さくできる。すなわち、比較例に係る磁電変換素子の場合には、被測定電流路ＣＢの配設位置を中心として周方向に等間隔で磁電変換素子が均等配置されている。そのため、磁電変換素子間から被測定電流路ＣＢを導入して配設位置に配設する場合、磁電変換素子同士の素子間隔として、少なくとも被測定電流路ＣＢが通過可能な間隔を確保する必要があるので、全ての磁電変換素子の配設領域が大きくなり、これに伴い配線基板が大型化してしまうことになる。
【００４９】
一方、本実施形態に係る磁電変換素子２５ａ〜２５ｊの配置の場合には、５個の磁電変換素子２５ａ〜２５ｅが長方形Ｌｘの長辺Ｌ１ｘ上に配設され、５個の磁電変換素子２５ｆ〜２５ｊが長方形Ｌｘの長辺Ｌ２ｘ上に配設されている。
そのため、磁電変換素子２５ａ〜２５ｅと磁電変換素子２５ｆ〜２５ｊとの配置に必要な短辺Ｌ３ｘ方向（Ｘ方向）の距離を短くできる。すなわち、被測定電流路ＣＢと隣接する電流路ＣＮとの距離を狭くできる。
その結果、上記比較例に係る磁電変換素子の配設領域と比べて、特に切欠１７の形成方向と直交する方向（第２の仮想線ＩＬ２の延在方向）における磁電変換素子２５ａ〜２５ｊの配設領域を小さくすることができ、配線基板１６の小型化、つまり電流センサ２０１の小型化が可能である。特に、切欠１７の左右の腕部１８の幅が狭くできる。
【００５０】
また、長方形Ｌｘの長辺Ｌ１ｘ上の磁電変換素子２５ｂ，２５ｃ，２５ｄは、第２の仮想線ＩＬ２ｘのＸ２方向から重心ＰＰを中心として時計回り及び反時計回りの方向にそれぞれ角度４５°以内の範囲に配設されている。
また、長辺Ｌ２ｘ上の磁電変換素子２５ｇ，２５ｈ，２５ｊは、第２の仮想線ＩＬ２ｘのＸ１方向から重心ＰＰを中心として時計回り及び反時計回りの方向にそれぞれ角度４５°以内の範囲に配設されている。
【００５１】
このように、磁電変換素子２５ａ〜２５ｊ素子間隔を長方形Ｌの長辺方向において均等にするのではなく、第２の仮想線ＩＬ２ｘのＸ１，Ｘ２方向から重心ＰＰを中心として時計回り及び反時計回りの方向にそれぞれ角度４５°以内の範囲に集中させることで、被測定電流路ＣＢからの磁界が強く、且つ磁界のＹ方向成分が大きい領域に多くの磁電変換素子を配置でき、隣り合う位置に配設された近隣電流路ＣＮからの外来磁場の影響を相対的に低減することができる。従って、外来磁場による磁電変換素子２５ａ〜２５ｊへの影響が低減されるので、磁電変換素子２５ａ〜２５ｊからの検出値を安定して得ることができる。
【００５２】
磁電変換素子２５ａ〜２５ｊの感度軸（磁気を感知する方向）の向きＳＪは、長方形Ｌｘの長辺Ｌ１ｘ,Ｌ２ｘあるいは短辺Ｌ３ｘと平行であり、且つ長方形Ｌｘに沿って一方向である。
具体的には、長方形Ｌの頂点に配設された磁電変換素子２５ａ，２５ｆの感度軸の向きＳＪはＸ１方向であり、磁電変換素子２５ｅ，２５ｊの感度軸の向きＳＪはＸ２方向である。
また、磁電変換素子２５ｂ，２５ｃ，２５ｄの感度軸の向きＳＪはＹ１方向であり、磁電変換素子２５ｇ，２５ｈ，２５ｉの感度軸の向きＳＪはＹ２方向である。
これにより、磁電変換素子２５ａ〜２５ｊは、重心ＰＰを中心に点対称位置にある磁電変換素子２５ｊ〜２５ａと感度軸の向きＳＪが逆になる。
後段の演算回路では、磁電変換素子２５ａ〜２５ｊの出力を加算することで、被測定電流路ＣＢの磁界に応じた成分を累積して有効化し、隣接する電流路ＣＮの磁界に応じた成分をキャンセルする。
【００５３】
磁電変換素子２５ｃ，２５ｈは、第２の仮想線ＩＬ２ｘ上にあるため、被測定電流路ＣＢからの磁界方向と、感度軸の向きＳＪとが略一致する。そのため、磁界を高感度で検出が可能である。
【００５４】
なお、図５の例において、磁電変換素子２５ｆの感度軸の向きＳＪを磁電変換素子２５ａとは逆のＸ２方向とし、磁電変換素子２５ｊの感度軸の向きＳＪを磁電変換素子２５ａとは逆のＸ１方向とし、磁電変換素子２５ｇ，２５ｈ，２５ｉの感度軸の向きＳＪを磁電変換素子２５ｂ，２５ｃ，２５ｄと同じＹ１方向としてもよい。
この場合は、後段の演算回路では、磁電変換素子２５ａ〜２５ｅの出力から、磁電変換素子２５ｆ〜２５ｊの出力を減算することで、被測定電流路ＣＢの磁界に応じた成分を累積して有効化し、隣接する電流路ＣＮの磁界に応じた成分をキャンセルする。
【００５５】
本磁電変換素子の電流センサ２０１によっても、第１磁電変換素子の電流センサ１０１と同様の効果が得られる。
【００５６】
＜第３実施形態＞
図６は、本発明の第３実施形態に係る電流センサ３０１の配線基板１６の上面図である。
図６において、図３と同じ符号を付した構成要素は第１実施形態で説明したものと同じである。
【００５７】
図６に示すように、電流センサ３０１では、第１実施形態と同様に、磁電変換素子１５ａ，１５ｂ，１５ｅ，１５ｆ，１５ｇ，１５ｈ，１５ｋ，１５ｌは、仮想の長方形Ｌ上に配設されている。
また、図６に示すように、電流センサ３０１は、第１実施形態の電流センサ１０１の磁電変換素子１５ｃ，１５ｄ，１５ｉ，１５ｊの代わりに、磁電変換素子３５ｃ，３５ｄ，３５ｉ，３５ｊを配設している。
【００５８】
磁電変換素子３５ｃ，３５ｄ，３５ｉ，３５ｊは、第１実施形態とは異なり、長方形Ｌの外側に配設されている。
磁電変換素子３５ｃ，３５ｄと磁電変換素子３５ｉ，３５ｊは、仮想線ＩＬ１に対して線対称である。
【００５９】
磁電変換素子３５ｉ，３５ｊは、長方形Ｌの重心ＰＰに対して、それぞれ磁電変換素子３５ｄ，３５ｃとそれぞれ点対称に配設されている。
その結果、磁電変換素子３５ｃ，３５ｉと磁電変換素子３５ｄ，３５ｊとは、仮想線ＩＬ２に対して線対称である。
【００６０】
磁電変換素子１５ｂ，３５ｃ，３５ｄ，１５ｅは、第２の仮想線ＩＬ２のＸ２方向から重心ＰＰを中心として時計回り及び反時計回りの方向にそれぞれ角度４５°以内の範囲に配設されている。
また、磁電変換素子１５ｈ，３５ｉ，３５ｊ，１５ｋは、第２の仮想線ＩＬ２のＸ１方向から重心ＰＰを中心として時計回り及び反時計回りの方向にそれぞれ角度４５°以内の範囲に配設されている。
【００６１】
磁電変換素子３５ｃ，３５ｄの感度軸の向きＳＪはＹ１方向であり、磁電変換素子３５ｉ，３５ｊの感度軸の向きＳＪはＹ２方向である。
後段の演算回路では、磁電変換素子１５ａ，１５ｂ，３５ｃ，３５ｄ，１５ｅ，１５ｆ，１５ｇ，１５ｈ，３５ｉ，３５ｊ，１５ｋ，１５ｌの出力を加算することで、被測定電流路ＣＢの磁界に応じた成分を累積して有効化し、隣接する電流路ＣＮの磁界に応じた成分をキャンセルする。
【００６２】
なお、図６の例において、磁電変換素子１５ｇの感度軸の向きＳＪを磁電変換素子１５ａとは逆のＸ２方向とし、磁電変換素子１５lの感度軸の向きＳＪを磁電変換素子１５fとは逆のＸ１方向とし、磁電変換素子１５ｈ，３５ｉ，３５ｊ，１５ｋの感度軸の向きＳＪを磁電変換素子１５ｂ，３５ｃ，３５ｄ，１５ｅと同じＹ１方向としてもよい。
この場合は、後段の演算回路では、磁電変換素子１５ａ，１５ｂ，３５ｃ，３５ｄ，１５ｅ，１５ｆの出力から、磁電変換素子１５ｇ，１５ｈ，３５ｉ，３５ｊ，１５ｋ，１５ｌの出力を減算することで、被測定電流路ＣＢの磁界に応じた成分を累積して有効化し、隣接する電流路ＣＮの磁界に応じた成分をキャンセルする。
【００６３】
電流センサ３０１において、被測定電流路ＣＢの真横に近い磁電変換素子３５ｃ，３５ｄ，３５ｉ，３５ｊは、磁界の向きと感磁方向が最も近いため感度が高い。
電流センサ３０１によれば、磁電変換素子３５ｃ，３５ｄ，３５ｉ，３５ｊを長方形Ｌの外側に配設することで、最も感度の高い磁電変換素子の感度を小さくして、広いダイナミックレンジで高精度に検出ができる。また、磁電変換素子の配置エリアの幅の広がりを小さくすることができる。
【００６４】
また、電流センサ３０１によれば、磁電変換素子３５ｃ，３５ｄ，３５ｉ，３５ｊを長方形Ｌの外側の長辺Ｌ１，Ｌ２に近接させ配設することで小型化できる。
また、電流センサ３０１によれば、第１実施形態の電流センサ１０１と同様の効果も得ることができる。
【００６５】
＜第４実施形態＞
図７は、本発明の第４実施形態に係る電流センサ４０１の配線基板１６の上面図である。
図７において、図５と同じ符号を付した構成要素は第２実施形態で説明したものと同じである。
【００６６】
図７に示すように、電流センサ４０１では、第２実施形態と同様に、磁電変換素子２５ａ，２５ｂ，２５ｄ，２５ｅ，２５ｆ，２５ｇ，２５ｉ，２５ｊは、仮想の長方形Ｌｘ上に配設されている。
また、  図７に示すように、電流センサ４０１は、第２実施形態の電流センサ２０１の磁電変換素子２５ｃ，２５ｈの代わりに、磁電変換素子４５ｃ，４５ｈを配設している。
【００６７】
磁電変換素子４５ｃ，４５ｈは、第２実施形態とは異なり、長方形Ｌｘの外側に配設されている。
磁電変換素子３５ｃ，３５ｄと磁電変換素子３５ｉ，３５ｊは、仮想線ＩＬ１に対して線対称である。
【００６８】
磁電変換素子３５ｉ，３５ｊは、長方形Ｌの重心ＰＰに対して、それぞれ磁電変換素子３５ｄ，３５ｃとそれぞれ点対称に配設されている。
その結果、磁電変換素子４５ｃと磁電変換素子４５ｈとは、仮想線ＩＬ２に対して線対称である。
磁電変換素子２５ｂ，４５ｃ，２５ｄは、第２の仮想線ＩＬ２ｘのＸ２方向から重心ＰＰを中心として時計回り及び反時計回りの方向にそれぞれ角度４５°以内の範囲に配設されている。
また、磁電変換素子２５ｇ，４５ｈ，２５ｉは、第２の仮想線ＩＬ２ｘのＸ１方向から重心ＰＰを中心として時計回り及び反時計回りの方向にそれぞれ角度４５°以内の範囲に配設されている。
【００６９】
磁電変換素子４５ｃの感度軸の向きＳＪはＹ１方向であり、磁電変換素子４５ｈの感度軸の向きＳＪはＹ２方向である。
後段の演算回路では、磁電変換素子２５ａ，２５ｂ，４５ｃ，２５ｄ，２５ｅ，２５ｆ，２５ｇ，４５ｈ，２５ｉ，２５ｊの出力を加算することで、被測定電流路ＣＢの磁界に応じた成分を累積して有効化し、隣接する電流路ＣＮの磁界に応じた成分をキャンセルする。
【００７０】
なお、図７の例において、磁電変換素子２５ｆの感度軸の向きＳＪを磁電変換素子２５ａとは逆のＸ２方向とし、磁電変換素子２５ｊの感度軸の向きＳＪを磁電変換素子２５ｅとは逆のＸ１方向とし、磁電変換素子２５ｇ，４５ｈ，２５ｉの感度軸の向きＳＪを磁電変換素子２５ｂ，４５ｃ，２５ｄと同じＹ１方向としてもよい。
この場合は、後段の演算回路では、磁電変換素子２５ａ，２５ｂ，４５ｃ，２５ｄ，２５ｅの出力から、磁電変換素子２５ｆ，２５ｇ，４５ｈ，２５ｉ，２５ｊの出力を減算することで、被測定電流路ＣＢの磁界に応じた成分を累積して有効化し、隣接する電流路ＣＮの磁界に応じた成分をキャンセルする。
【００７１】
電流センサ４０１において、被測定電流路ＣＢの真横に近い磁電変換素子４５ｃ，４５ｈは、磁界の向きと感磁方向が最も近いため感度が高い。
電流センサ４０１によれば、磁電変換素子４５ｃ，４５ｈを長方形Ｌの外側に配設することで、最も感度の高い磁電変換素子の感度を小さくして、広いダイナミックレンジで高精度に検出ができる。また、磁電変換素子の配置エリアの幅の広がりを小さくすることができる。
【００７２】
また、電流センサ４０１によれば、磁電変換素子４５ｃ，４５ｈを長方形Ｌの外側の長辺Ｌ１ｘ，Ｌ２ｘに近接させ配設することで小型化できる。
また、電流センサ４０１によれば、第１実施形態の電流センサ１０１と同様の効果も得ることができる。
図８は、本実施形態の電流センサ４０１と、１０個の磁電変換素子を仮想の楕円上に配置した比較例（楕円）とについて、被測定電流路ＣＢと近隣電流路ＣＮとの距離（ｍｍ）と、検出値への近隣電流路ＣＮの影響度（％）とを比較するための図である。図８Ａは電流センサ４０１と上記比較例（楕円）との磁電変換素子の配置を示し、横軸がＸ方向の位置を示し、縦軸がＹ方向の位置を示している。また、図８Ｂは、横軸が被測定電流路ＣＢと近隣電流路ＣＮとの距離（ｍｍ）を示し、縦軸が検出値への近隣電流路ＣＮの影響度（％）とを示している。
図８に示すように、電流センサ４０１によれば、上記比較例（楕円）に比べて、近隣電流路ＣＮの影響度（％）を小さくでき、高い測定精度を得ることができる。
【００７３】
本発明は上述した実施形態には限定されない。
すなわち、当業者は、本発明の技術的範囲またはその均等の範囲内において、上述した実施形態の構成要素に関し、様々な変更、コンビネーション、サブコンビネーション、並びに代替を行ってもよい。
上述した実施形態において、磁電変換素子の数は、１０個以上であれば、特に限定されない。
【００７４】
また、磁電変換素子間の距離についても特に限定されない。
また、上述した実施形態では、同一特性の磁電変換素子を用いる場合を例示したが、後段の演算回路において被測定電流路ＣＢの磁界に応じた成分を累積して有効化し、隣接する電流路ＣＮの磁界に応じた成分をキャンセルすることが可能な範囲において、２個以上の特性の磁電変換素子を用いてもよい。
【００７５】
また、上述した実施形態では、磁電変換素子としてＧＭＲ素子を好適に用いたが、磁気の方向を検知できる磁気検出素子であれば良く、ＭＲ（Magneto  Resistive）素子、ＡＭＲ（Anisotropic  Magneto  Resistive）素子、ＴＭＲ（Tunnel  Magneto  Resistive）素子、ホール素子等であっても良い。但し、ホール素子等の場合は、ＧＭＲ素子やＭＲ素子の感度軸と異なるので、使用するホール素子の感度軸に合わせて、実装に工夫が必要である。
【符号の説明】
【００７６】
１０１，２０１，３０１，４０１…電流センサ、１１…筐体、１３…コネクタ、１５，１５ａ〜１５ｌ，２５ａ〜２５ｊ，３５ｃ，３５ｄ，３５ｉ，３５ｊ，４５ｃ，４５ｈ…磁電変換素子、１６…配線基板、Ｌ…長方形、ＩＬ１，ＩＬ１ｘ…第１の仮想線、ＩＬ２，ＩＬ２ｘ…第１の仮想線、Ｌ１，Ｌ１ｘ,Ｌ２，Ｌ２ｘ…長辺、Ｌ３，Ｌ３ｘ…短辺、３１…ケース
【国際調査報告】
2015122064.tif 000011
2015122064.tif 000012